(57)【要約】【課題】  関節運動接合部を通る発射バーを支持する改良された関節運動外科器具を提供すること。【解決手段】  発射バーによって作動されるエンドエフェクタ（例えば、ステープル止め及び切断）を関節運動させるために用いられる特に内視鏡に適した外科用ステープル止め器具。細長いシャフト内の関節運動機構は、発射バーが逸脱することなく十分に拘束され、過度の摩擦や引掛かりが起こらずに案内されるように発射バーを横方向に支持する電気的に作動されるポリマー（ＥＡＰ）アクチュエータを含む。従って、エンドエフェクタが関節運動した場合に必要な発射の力を過度に大きくしないで効果的な一定の発射動作を達成することができる。【選択図】        図１
2006034982.tif 000002
【特許請求の範囲】
【請求項１】
外科器具であって、
関節運動支持信号を生成するように機能的に構成された関節運動制御回路、及び長手方向に移動する発射バーを有する発射機構を含むハンドル部分と、
前記ハンドル部分に取り付けられた、前記発射バーを受容する発射バーガイドスロットを含む細長いシャフトと、
前記細長いシャフトの先端側に取り付けられた、前記発射バーの先端部によって作動されるエンドエフェクタと、
前記細長いシャフトを前記エンドエフェクタに結合する、前記細長いシャフトを介して前記関節運動支持信号を受け取る関節運動接合部と、
前記関節運動支持信号に応答して選択された横方向に関節運動させるために寸法を調節する、前記発射バーの両側の前記関節運動接合部に配置された一対の電気活性ポリマー支持部材とを含むことを特徴とする外科器具。
【請求項２】
関節運動の内側になる前記一対の電気活性ポリマー支持部材の選択された一方が前記関節運動支持信号に応答して収縮することを特徴とする請求項１に記載の外科器具。
【請求項３】
関節運動の外側になる前記一対の電気活性ポリマー支持部材の選択された一方が前記関節運動支持信号に応答して伸長することを特徴とする請求項１に記載の外科器具。
【請求項４】
前記電気活性ポリマー支持部材のそれぞれが、前記関節運動支持信号に応答して横方向に撓むように機能的に構成された電気活性ポリマープレートアクチュエータを含むことを特徴とする請求項１に記載の外科器具。
【請求項５】
前記関節運動接合部の基端部分及び先端部分の選択された一方が、前記発射バーガイドスロットに連通したフレーム凹部を含み、
前記各電気活性ポリマープレートアクチュエータが、前記フレーム凹部内に受容された外側湾曲端部を有する硬質基材、及び前記関節運動支持信号に応答して曲がる前記硬質基材の一側に取り付けられた電気活性ポリマーアクチュエータを含むことを特徴とする請求項４に記載の外科器具。
【請求項６】
更に、前記硬質基材の前記外側湾曲端部と前記フレーム凹部の壁部との間に長手方向に挿入された弾性部材を含むことを特徴とする請求項５に記載の外科器具。
【請求項７】
前記電気活性ポリマーアクチュエータが、前記発射バーに近接した前記硬質基材の内面に取り付けられていることを特徴とする請求項５に記載の外科器具。
【請求項８】
前記硬質基材の内面が前記発射バーに近接しており、前記電気活性ポリマーアクチュエータが前記硬質基材の外面に取り付けられていることを特徴とする請求項５に記載の外科器具。
【請求項９】
前記関節運動接合部が、前記細長いシャフトに取り付けられた基端部分及び前記エンドエフェクタに取り付けられた先端部分を含み、
前記基端部分が、前記先端部分に対して関節運動するように取り付けられており、
電気活性ポリマーアクチュエータが、前記基端部分及び前記先端部分のそれぞれに取り付けられ、前記関節運動支持信号に応答して関節運動を起こすように機能的に構成されていることを特徴とする請求項１に記載の外科器具。
【請求項１０】
前記関節運動接合部が、前記先端部分に回動可能に取り付けられた前記基端部分を含むことを特徴とする請求項９に記載の外科器具。
【請求項１１】
前記関節運動接合部が、それぞれ長手方向に収縮しない可撓性の材料から形成された上部バンド及び下部バンドと、複数の左垂直リブ及び複数の右垂直リブを含み、
前記各バンドが、前記基端部分と前記基端部分との間に取り付けられており、
前記複数の左右の垂直リブのそれぞれが、前記上部バンドと前記下部バンドとの間のそれぞれの側面に取り付けられていることを特徴とする請求項９に記載の外科器具。
【請求項１２】
関節運動の内側になる前記一対の電気活性ポリマー支持部材の選択された一方が前記関節運動支持信号に応答して収縮することを特徴とする請求項９に記載の外科器具。
【請求項１３】
関節運動の外側になる前記一対の電気活性ポリマー支持部材の選択された一方が前記関節運動支持信号に応答して伸長することを特徴とする請求項９に記載の外科器具。
【請求項１４】
前記電気活性ポリマー支持部材のそれぞれが、前記関節運動支持信号に応答して横方向に撓むように機能的に構成された電気活性ポリマープレートアクチュエータを含むことを特徴とする請求項９に記載の外科器具。
【請求項１５】
前記電気活性ポリマー支持部材のそれぞれが、長手方向部分、両端部の外側湾曲端部、内側電気活性ポリマーアクチュエータ、及び外側電気活性ポリマーアクチュエータを含み、
前記両端部の外側湾曲端部がそれぞれ、前記関節運動接合部の前記基端部分内及び前記先端部分内に拘束されており、
前記内側及び外側電気活性ポリマーアクチュエータのそれぞれが、前記外側湾曲端部の選択された一方の長手方向両側に配置され、長手方向に伸長するように構成されており、
前記関節運動接合部の前記基端部分及び前記先端部分のそれぞれが、前記内側及び外側電気活性ポリマーアクチュエータと前記湾曲端部の選択された一方を受容する内側に開口した凹部を含むことを特徴とする請求項９に記載の外科器具。
【請求項１６】
前記電気活性ポリマー支持部材のそれぞれが、第２の対の内側電気活性ポリマーアクチュエータ及び外側電気活性ポリマーアクチュエータを含み、
これらの電気活性ポリマーアクチュエータがそれぞれ、前記外側湾曲端部の他方の長手方向両側に配置され、長手方向に伸長するように構成されており、
前記関節運動接合部の前記基端部分及び前記先端部分のそれぞれが、前記第２の対の内側及び前記外側電気活性ポリマーアクチュエータと前記湾曲端部の他方を受容する内側に開口した凹部を含み、
前記関節運動制御回路が、選択された前記電気活性ポリマー支持部材の両方の外側電気活性ポリマーアクチュエータを作動させて伸長させたり、その両方の内側ポリマーアクチュエータを作動させて収縮させることができるように機能的に構成されていることを特徴とする請求項１５に記載の外科器具。
【請求項１７】
外科器具であって、
関節運動支持信号を生成するように機能的に構成された関節運動制御回路を含むハンドル部分と、
前記ハンドル部分に取り付けられた細長いシャフト、
前記細長いシャフトの先端側に取り付けられたエンドエフェクタと、
前記細長いシャフトを前記エンドエフェクタに結合する、前記細長いシャフトを介して前記関節運動支持信号を受け取る関節運動接合部と、
前記関節運動接合部の両側面に配置された一対の電気活性ポリマー支持部材とを含み、
前記各電気活性ポリマー支持部材の一端が前記関節運動接合部内に長手方向に拘束され、他端がスライド可能に受容されており、
前記各電気活性ポリマー支持部材が、前記細長いシャフトの長手方向の軸に対して整合し横方向にずれており、かつ前記関節運動支持信号に応答して横方向に曲がることを特徴とする外科器具。
【請求項１８】
外科器具であって、
関節運動支持信号を生成するように機能的に構成された関節運動制御回路を含むハンドル部分と、
前記ハンドル部分に取り付けられた細長いシャフト、
前記細長いシャフトの先端側に取り付けられたエンドエフェクタと、
前記細長いシャフトを前記エンドエフェクタに結合する、前記細長いシャフトを介して前記関節運動支持信号を受け取る関節運動接合部と、
前記関節運動接合部の両側面に配置された一対の電気活性ポリマー支持部材とを含み、
前記各電気活性ポリマー支持部材の両端が、前記関節運動接合部内に長手方向に拘束されており、
前記各電気活性ポリマー支持部材が、前記細長いシャフトの長手方向の軸に対して整合し横方向にずれており、かつ前記関節運動支持信号に応答して選択的に伸長または収縮することを特徴とする外科器具。
【発明の詳細な説明】
【技術分野】
【０００１】
本願は、２００４年７月２８日出願のシェルトン４世（Shelton IV）による米国仮特許出願第６０／５９１，６９４号（名称「電気的に作動する関節機構を含む外科器具（SURGICAL INSTRUMENT INCORPORATING AN ELECTRICALLY ACTUATED ARTICULATION MECHANISM）」）の恩典を請求するものである。
【０００２】
本願は、言及することを以ってその開示内容の全てを本明細書の一部とする、２００３年７月９日出願のウェールズ（Wales）らによる米国特許出願第１０／６１５，９７１号（名称「発射バーを支持するための関節運動接合部支持プレートを有する外科用ステープル止め器具（SURGICAL STAPLING INSTRUMENT HAVING ARTICULATION JOINT SUPPORT PLATES FOR SUPPORTING FIRING BARA）」）の一部継続出願である。
【背景技術】
【０００３】
本発明は、外科部位にエンドエフェクタ（例えば、エンドカッター、把持具、カッター、ステープラ、クリップアプライヤー、アクセス装置、薬物／遺伝子治療送達装置、並びに超音波、無線周波、及びレーザーなどを用いるエネルギー装置）を内視鏡的に挿入するのに適した外科器具に関し、詳細には関節運動シャフトを備えたこのような器具に関する。
【０００４】
内視鏡外科器具は、切開部が小さく術後の回復が早く合併症のリスクが低いため、従来の開放外科手術よりも好まれる傾向にある。従って、トロカールのカニューレを介して所望の外科部位に先端部のエンドエフェクタを正確に配置するのに適した一定の内視鏡器具が進歩した。このような先端部のエンドエフェクタは、様々な方法（例えば、エンドカッター、把持具、カッター、ステープラ、クリップアプライヤー、アクセス装置、薬物／遺伝子治療送達装置、及び超音波、無線周波、及びレーザーなどを用いるエネルギー装置）で組織にアクセスして診断したり治療効果を得ることができる。
【０００５】
エンドエフェクタの位置合わせはトロカールによって一定範囲に制限される。一般に、このような内視鏡外科器具は、医師が操作するハンドル部分とエンドエフェクタとの間に長いシャフトを有する。この長いシャフトにより、所望の深さに挿入して、その長軸を中心にエンドエフェクタを回動させ、ある程度の位置合わせが可能である。トロカールを慎重に配置して把持具を用いれば、例えば別のトロカールを介した位置合わせで十分な場合が多い。特許文献１に開示されているような外科用ステープル止め／切断器具が、挿入と回動によりエンドエフェクタを正確に配置できる内視鏡外科器具の一例である。
【０００６】
言及することを以ってその開示内容の全てを本明細書の一部とする、２００３年５月２０日出願のシェルトン（Shelton）らによる最近の米国特許出願第１０／４４３，６１７号（名称「Ｅビーム発射機構を含む外科用ステープラ器具（SURGICAL STAPLING SNSTRUMENT INCORPORATING AN E-BEAM FIRING EMCHANISM）」）に、組織の切断及びステープル止め用の改良された「Ｅビーム」発射バーが開示されている。この器具に特有の利点は、たとえクランプした組織の量がステープル形成に最適な組織の量と多少異なっていたとしても、エンドエフェクタ、つまりステープル止め組立体のジョーとジョーの間の空間を確実に維持できることである。更に、Ｅビーム発射バーが、複数の有利なロックアウトを含むことができるようにエンドエフェクタ及びステープルカートリッジに係合する。
【０００７】
操作方法によるが、内視鏡外科器具のエンドエフェクタの位置合わせを更に調節できるようにするのが望ましいであろう。特に、器具のシャフトの長軸の横断方向に対してエンドエフェクタを向き合わせできるのが望ましい場合が多い。器具のシャフトに対するエンドエフェクタの横断方向の移動は、従来より「関節運動」と呼ばれている。この関節運動は通常、ステープル止め組立体のすぐ基端側のシャフト延長部に設けられたピボット（または関節運動）接合部によって達成される。これにより、外科医が、より良くステープルラインの外科的に配置するため及び容易な組織の操作及び向き合わせのために、ステープル止め組立体を遠隔的に左右何れかの方向に関節運動させることができる。この関節運動位置合わせにより、外科医は、例えば臓器の後側などの位置の組織に容易に係合させることができる。加えて、関節運動位置合わせにより、内視鏡を器具のシャフトに妨害されずにエンドエフェクタの後側に有利に配置することができる。
【０００８】
外科用ステープル止め／切断器具の関節動の方法は、関節運動の制御と組織をクランプするためのエンドエフェクタの開閉及びエンドエフェクタの動作（すなわち、ステープル止めと切断）の全てを内視鏡器具の小さな直径の制限の中で行わなければならないため複雑である。一般に、３つの制御運動全てが、長手方向の運動としてシャフトを介して伝達される。例えば、特許文献２に、アコーディオンのような関節運動機構（フレックスネック）が開示されている。この関節運動機構は、実施シャフトを介して、２つの連結ロッドの一方を選択的に引き戻して関節運動させることができる。各連結ロッドは、シャフトの中心線に対して両側にそれぞれずれている。この連結ロッドは、ラチェット式に一連の個々の位置に移動できる。
【０００９】
前記した米国特許出願第１０／６１５，９７１号に、回動する関節運動接合部を通る発射バーを案内する支持プレートが開示されている。支持プレートの一端または両端の弾性構造或いはばね構造が、内側支持プレートと外側支持プレートとの弧の長さの差を補償し、両プレート間の距離を維持して曲がるのを防止する。従って、発射機構を作動させるのに必要な力が増大するなどの性能の低下を招くことなく発射バーの逸脱が防止される。
【００１０】
一般に知られている方法でも、外科用ステープル止め／切断器具の関節運動接合部を通る発射バーを良好に支持することができるが、その性能を更に上げるのが望ましい。
【特許文献１】米国特許第５，４６５，８９５号明細書
【特許文献２】米国特許第５，６７３，８４０号明細書
【発明の開示】
【発明が解決しようとする課題】
【００１１】
従って、関節運動接合部を通る発射バーを支持する改良された関節運動外科器具が強く要望されている。
【課題を解決するための手段】
【００１２】
本発明は、従来技術の上記した欠点及び他の欠点を解消するために、ハンドルとエンドエフェクタとの間に取り付けられた関節運動シャフトを備えた外科器具を提供する。一対の電気活性ポリマー（ＥＡＰ）支持部材が、シャフトの関節運動接合部に配置され、シャフトを介して送られる電気信号に応答する。それぞれのＥＡＰ支持部材は、関節運動接合部の長手方向の軸に対して整合し横方向にずれている。ＥＡＰ支持部材を選択的に作動させて、長手方向の寸法を変更して関節運動を助けることができる。
【００１３】
本発明の一態様では、外科器具は、細長いシャフト内を移動する発射部材によって作動されるエンドエフェクタを含む。ＥＡＰ支持部材が発射バーの両側に位置し、発射バーが関節運動接合部を通る時にその間を通過する。外側のＥＡＰ支持部材に対して関節運動する内側のＥＡＰ支持部材の弧の長さを変更することにより、間隔を維持して引掛かりなく発射バーを効果的に案内することができる。
【００１４】
本発明の別の態様では、外科器具の関節運動シャフトが、関節運動の際に、長手方向に整合し横方向にずれた一対のＥＡＰ支持部材によって維持される。ＥＡＰ支持部材は、一端が長手方向に拘束され、他端がスライド可能に受容されている。ＥＡＰ支持部材は、関節運動を助けるために作動して曲がるように構成されている。
【００１５】
本発明の別の態様では、外科器具の関節運動シャフトが、関節運動の際に、両端が関節運動接合部の基端部及び先端部のそれぞれに拘束された、長手方向に整合し横方向にずれた一対のＥＡＰ支持部材によって維持される。ＥＡＰ支持部材は、関節運動を助けるために作動して長手方向の長さを変更するように構成されている。
【００１６】
本発明のこれら及び他の目的及び利点は、添付の図面及び以下の説明から明らかになるであろう。
【発明の効果】
【００１７】
関節運動接合部を通る発射バーを支持する改良された関節運動外科器具が提供される。
【発明を実施するための最良の形態】
【００１８】
本明細書に含まる本明細書の一部を成す添付の図面は、本発明の実施形態を例示するものであり、これを参照しながら本発明の概要及び実施形態の詳細な説明を読めば、本発明をより良く理解できるであろう。
【００１９】
図１に、細長いシャフト１６によってハンドル１４から離間したステープル止め組立体１２のエンドエフェクタを先端部に有する外科用切断／ステープル止め器具１０として外科器具が示されている。ステープル止め組立体１２は、交換可能なステープルカートリッジ２０を受容するためのステープル溝１８を有する。ステープル止め及び切断のためにステープルカートリッジ２０に対して組織をクランプするアンビル２２が、ステープル溝１８に回動可能に取り付けられている。ステープル止め組立体１２が閉じると、その断面積及び細長いシャフト１６が、トロカール（不図示）のカニューレなどを介して切開部から挿入するのに適した大きさとなる。
【００２０】
ステープル止め組立体１２の正確な配置及び方向合わせは、ハンドル１４での調節によって容易に行うことができる。具体的には、回動ノブ３０により、シャフト１６をその長軸を中心に回動させてステープル止め組立体１２を回動させる。弧状にステープル組立体１２を回動させることができるシャフト１６の関節運動接合部３２で更なる位置合わせが可能である。具体的には、ステープル止め組立体１２がシャフト１６の長軸から弧状に曲がり、これにより臓器の後側に配置したり、ステープル止め組立体１２の後側に内視鏡（不図示）などの他の器具を配置することができる。このような関節運動は、ハンドル１４の関節運動制御スイッチ３４によって有利に行うことができる。この関節運動制御スイッチ３４は、電気信号を関節運動接合部３２のＥＡＰアクチュエータ３６に送る。ＥＡＰアクチュエータ３６には、ハンドル１４内の電源３８及び電気活性ポリマー（ＥＡＰ）制御装置によってエネルギーが供給される。
【００２１】
組織がステープル止め組立体１２の中に配置されたら、外科医は、ピストルグリップ４２に向かって閉止トリガー４０を基端側に引いてアンビル２２を閉じることができる。このようにして組織をクランプしたら、外科医は、先端側の発射トリガー４４を握って、これを基端側に引いてステープル止め組立体１２を作動させることができる。ある適用例では、この動作が１回の発射ストロークで行われ、別の適用例では、この動作が複数の発射ストロークで行われる。発射動作は、少なくとも２列のステープルをステープル止めすると同時にその間の組織を切断する。
【００２２】
発射構成要素の引き戻しは、全距離を移動した後に自動的に開始することができる。別法では、引き戻しレバー４６を後ろ側に引いて引き戻しを行うことができる。発射構成要素が引き戻されたら、外科医が閉止トリガー４０をピストルグリップ４２に向かって後ろ側に少し引き、閉止解除ボタン４８を押し、次いで閉止トリガー４０を解放し、切断された組織の２つのステープル止めされた端部をステープル止め組立体１２から解放して、ステープル止め組立体１２のクランプを解除して開くことができる。
【００２３】
外科器具１０の長手方向の軸が、ハンドル１４の上部に垂直方向に整合したステープル止め組立体１２のアンビル２２に平行に位置し、トリガー４０及び４４がハンドル１４の底部に垂直方向に整合すると表現できるように図面に対して垂直方向及び水平方向などの空間を示す用語を用いることを理解されたい。しかしながら、実際には、外科器具１０は、様々な角度に配置することができ、このような空間を示す用語が外科器具１０に対して用いられる。更に、ハンドル１４の後側にいる外科医が自分から離れた先端側にエンドエフェクタ１２を配置するなどのように外科医の遠近を説明するために「基端側」を用いる。
【００２４】
図１に示されているステープル止め組立体１２では、２つの異なった運動をシャフト１６を介してシャフトフレーム（図１には示されていないが図７に詳細に示されている）に伝達し、組織をクランプし、ステープル止めし、組織を切断することができる。このシャフトフレーム組立体は、シャフト１４の基端側に取り付けられ、回動ノブ３０と共に回動できるよう結合されている。図１の外科用ステープル止め／切断器具１０に用いられるマルチストロークハンドル１４の例が、スウェイズ（Swayze）及びシェルトン（Shelton）による同時係属中の自己の米国特許出願第１０／６７４，０２６号（名称「マルチストローク発射位置表示器及び引き戻し機構を含む外科用ステープル止め器具（SURGICAL STAPLING INSTRUMENT INCORPORATING A MULTISTROKE FIRING POSITION INDICATOR AND RETRACTION MECHANISM）」、及びケビン・ドール（Kevin Doll）、ジェフリー Ｓ．スウェイズ（Jeffrey S. Swayze）、フレデリック Ｅ．シェルトン４世（Frederick E. Shelton IV）、ダグラス・ホフマン（Douglas Hoffman）、及びマイケルＥ．セッツァー（Michael E. Setser）による２００５年２月７日出願の米国特許出願第１１／０５２，６３２号（名称「発射運動の引き戻しが自動で終了するマルチストローク発射機構を含む外科用ステープル止め器具（SURGICAL STAPLING INSTRUMENT INCORPORATING A MULTI-STROKE FIRING MECHANISM WITH AUTOMATIC END OF FIRING TRAVEL RETRACTION）」に開示されている。これらの特許文献には、様々な別の特徴や形態が示されており、言及することを以ってその開示内容の全てを本明細書の一部とする。
【００２５】
マルチストロークハンドル１４は長い距離に亘って発射の力が大きく、本発明に従った適用例に有用であるが、このような適用例は、言及することを以ってその開示内容の全てを本明細書の一部とするフレデリック Ｅ．シェルトン４世（Frederick E. Shelton IV）、マイケル Ｅ．セッツァー（Michael E. Setser）、及びブライアンＪ．ヘムメルガン（Brian J. Hemmelgarn）による米国特許出願第１０／４４１，６３２号（名称「閉止システム及と発射システムを別々に有する外科用ステープル止め器具（SURGICAL STAPLING INSTRUMENT HAVING SEPARATE DISTINCT CLOSING AND FIRING SYSTEMS）」に開示されているような発射シングルストロークを含むこともできる。
【００２６】
電気活性ポリマー
電気活性ポリマー（ＥＡＰｓ）は、電圧が加えられると形状が変化する導電物質がドープされた一連のポリマーである。要するに、この導電ポリマーを、一定の形態のイオン流体またはゲル及び電極と組み合わせることができる。この流体／ゲルのイオンが電圧が加えられると導電ポリマーに対して移動し、このイオンの流れによりポリマーの形状が変化する。加える電圧は、使用するポリマー及びイオン流体によって１Ｖ〜４ｋＶの範囲である。電圧が加えられると、ある種のＥＡＰｓは収縮し、別のＥＡＰｓは膨張する。ＥＡＰｓをばねや可撓性プレートなどの機械手段に組み合わせて、電圧を加えてこれらを変形させることができる。
【００２７】
電気活性ポリマーには、２つの基本タイプがあり、それぞれのタイプに複数の構造がある。この２つのタイプは、ファイバーバンドル型と積層型である。ファイバーバンドルは、約３０μｍ〜５０μｍのファイバーからなる。これらのファイバーは、織物と全く同様にバンドルに織ることができ、このためＥＡＰヤーンと呼ばれることが多い。このタイプのＥＡＰは電圧が加えられると収縮する。電極は通常、中心のワイヤコア及び導電性の外側シースであり、この外側シースは、ファイバーバンドルを取り囲むイオン流体を受容することができる。市販されているファイバーＥＡＰ材料は、言及することを以ってその開示内容の全てを本明細書の一部とする米国特許出願第６，６６７，８２５号に開示されており、サンタフェ・サイエンス・アンド・テクノロジー（Santa Fe Science and Technology）によって製造され、ＰＡＮＩＯＮ（商標）ファイバーとして販売されている。
【００２８】
他方のタイプの積層構造は、一層のＥＡＰポリマーと、一層のイオンゲルと、このラミネートの何れかの側に取り付けられる２つの可撓性プレートからなる。電圧が加えられると、矩形のラミネートプレートが一方向に膨張し、その方向と垂直の方向に収縮する。ラミネート（プレート）ＥＡＰ材料は、例えば、ＳＲＩラボラトリーズ（SRI Laboratories）の別会社であるアーティフィシャル・マッスル社（Artificial Muscle Inc）が販売している。プレートＥＡＰ材料はまた、日本のＥＡＭＥＸが販売しており、薄膜ＥＡＰと呼ばれている。
【００２９】
ＥＡＰｓはエネルギーが加えられると、単に一方向に膨張し、その逆方向に収縮するだけで、容積は変化しないことを理解されたい。ラミネート型は、一側が補強構造に用いられ、他側がピストンのように用いられる基本形態に形成することができる。ラミネート型は可撓性プレートの何れかの側に接着することもできる。可撓性プレートＥＡＰの一側にエネルギーが加えられると、この一側が膨張してプレートが反対方向に曲がる。これにより、エネルギーを加えられる側を選択してプレートを所望の方向に曲げることができる。
【００３０】
ＥＡＰアクチュエータは通常、互いに協働する複数の層、またはファイバーバンドルからなる。ＥＡＰの機械的構造により、ＥＡＰアクチュエータ及びその運動性が決まる。ＥＡＰは、１つの中心電極を覆う細長いストランドに形成することができる。可撓性外側スリーブが、アクチュエータ用の別の電極を形成し、装置の動作に必要なイオン流体を含むことができる。この構造では、電極に電界が加えられると、ＥＡＰのストランドが収縮する。このようなＥＡＰアクチュエータの構造はファイバーＥＡＰアクチュエータと呼ばれる。同様に、ラミネート構造は、単に積層したり、また可撓性プレートの一側の複数の層に配置して性能を上げることができる。一般的なファイバー構造は、有効伸び率が２％〜４％であり、一般的なラミネート構造は、相当高い電圧の使用により２０％〜３０％の伸び率を有する。
【００３１】
図２に示されているように、ラミネートＥＡＰ複合材１００は、プレート陽極層１０２、この陽極層１０２に取り付けられたＥＡＰ層１０４、このＥＡＰ層１０４に取り付けられたイオンセル層１０６、及びこのイオンセル層１０６に取り付けられたプレート陰極層１０８からなる。図３に示されているように、５つのラミネートＥＡＰ複合材１００が、間の接着層１１０によって積層構造に接着され、ＥＡＰプレートアクチュエータ１２０が形成されている。所望の方向に選択的に曲げることができる対向したＥＡＰアクチュエータ１２０を形成できることを理解されたい。例えば、ラミネートＥＡＰ複合材１００は、ＥＡＰの構造によって一側の層が膨張または収縮して、作動されていない層に対して曲がるように別々に作動させることができる。別の例では、ばね鋼、樹脂、またはポリマーなどの非ＥＡＰ基材が、ラミネートＥＡＰ複合材１００に取り付けられる。従って、伸長するように構成されたラミネートＥＡＰ複合材１００により、非ＥＡＰ基材をラミネートＥＡＰ複合材１００から離れる方向に曲げることができる。収縮するように構成されたラミネートＥＡＰ複合材１００により、非ＥＡＰ基材をラミネートＥＡＰ複合材１００に向かう方向に曲げることができる。非ＥＡＰ基材の両側にラミネートＥＡＰ複合材１００を設けて、何れかの方法にそれぞれ曲げることができる。
【００３２】
図４‐図５に示されているように、収縮ＥＡＰファイバーアクチュエータ１４０が、細長い円柱キャビティ１４６を経て絶縁ポリマー基端エンドキャップ１４４を通る長手方向のプラチナ陰極ワイヤ１４２を含む。円柱キャビティ１４６は、陽極として機能するように導電物質がドープされたプラスチック円柱壁１４８内に形成されている。プラチナ陰極ワイヤ１４２の先端部は、絶縁ポリマー先端キャップ１５０内に埋め込まれている。複数の収縮ポリマーファイバー１５２が、陰極ワイヤ１４２を囲むように平行に配置され、これらの端部がそれぞれのエンドキャップ１４４及び１５０内に埋め込まれている。プラスチック円柱壁１４８の両端は、収縮ポリマーファイバー１５２と陰極ワイヤ１４２の間の空間を満たすイオン流体またはゲル１５４を密閉して円柱キャビティ１４６を取り囲むようにそれぞれのエンドキャップ１４４及び１５０に取り付けられている。プラスチック円柱壁（陽極）１４８及び陰極１４２に電圧が加えられると、イオン流体が収縮ポリマーファイバー１５２内に進入し、これによりそれらの外径が膨張すると共に長さが収縮し、エンドキャップ１４４と１５０が互いに近づく。
【００３３】
ＥＡＰ作動関節運動接合部
図６‐図１３に示されているように、外科用切断／ステープル止め器具２００が、細長いシャフト２０４に形成されたＥＡＰ作動関節運動接合部２０２をエンドエフェクタの基端側に有する。このエンドエフェクタは、細長いシャフト２０４によって長手方向に伝達される別々の閉止運動及び発射運動に有利に応答する外科用ステープル止め／切断組立体１２として例示されている。ＥＡＰ作動関節運動接合部２０２は、ステープル止め組立体１２に関節運動に所望の臨床的柔軟性を有利に付与する。
【００３４】
図６‐図１３に例示されている形態では、ＥＡＰ作動関節運動接合部２０２、具体的には可撓性の閉止／回動フレーム関節運動接合部２１０が、図６に示されているように、可撓性閉止チューブ２１８によって連結された先端閉止リング２１６と基端閉止チューブ２１４を有する可撓性閉止スリーブ組立体２１２を含む。可撓性閉止チューブ２１８に形成された長手方向に列を成す左右の垂直スリット２２０及び２２２により、曲げる程度にかかわらず上部の長手方向のバンド２２４の長手方向の閉止運動の伝達を妨げずに、左右に曲がって関節運動することができる。この長手方向の運動を上部の長手方向のバンド２２４と協働するように、この長手方向のバンド２２４と対向して可撓性閉止チューブ２１８（不図示）の底部に沿って同一の長手方向の底部バンドが設けられていることを理解されたい。具体的には、先端閉止リング２１６の上部が、アンビル２２のアンビル閉止構造２２８に係合する馬蹄開口２２６を含む。図７に示されているように、アンビル２２は、その基端部に横方向に延出した回動ピン２３０を含む。この回動ピン２３０は、細長い溝１８の基端部近傍に形成された回動開口２３２（図７及び図８）に回動可能に係合する。従って、これよりもやや先端側のアンビル閉止構造２２８により、可撓性閉止スリーブ組立体２１２が先端側に移動するとアンビルが閉止し、基端側に移動するとアンビルが開く。可撓性閉止チューブ２１８は、長手方向に列を成す左右の垂直スリット２２０及び２２２の長さに沿って曲がることができるため、関節運動する可撓性の閉止／回動フレーム関節接合部２１０のシングルピボットフレーム組立体２３４を覆って受容することができる。
【００３５】
特に図７‐図９を参照すると、シングルピボットフレーム組立体２３４は、先端側に延出した上部及び下部回動タブ２３８及び２４０を備えた基端フレームグランド２３６を含む。上部及び下部回動タブ２３８及び２４０はそれぞれ、上部及び下部回動ピンホール２４２及び２４４を有する。上部及び下部回動タング２４６及び２４８がそれぞれ、先端フレームグランド２５０から基端側に延出した上部及び下部回動ピンホール２５２及び２５４を有し、基端フレームグランド２３６に回動可能に係合する。具体的には、垂直方向に整合した上部回動ピンホール２４２及び２５２と下部回動ピンホール２４４及び２５４がそれぞれ、上部及び下部フレーム回動ピン２５６及び２５８（図１０）によって係合する。
【００３６】
図８に示されているように、細長いシャフト１６及びステープル止め組立体１２によって形成された外科器具２００の実施部分２６０が、基端フレームグランド２１８、可撓性閉止／回動フレーム関節運動接合部２１０、及び先端フレームグランド２５０の発射スロット２７２内を長手方向に移動してステープル止め組立体１２内に至る発射バー２７０を含む。先端フレームグランド２５０の上部に形成された先端及び基端矩形開口２７４及び２７６がそれらの間に、クリップばね２８２の上部アーム２８０を受容するクリップバー２７８を画定している。クリップばね２８２の先端側に延びたアーム２８４により、発射運動の際に空または欠落したカートリッジロックアウト部分に応答して発射バー２７０の上部に沿って隆起した部分２８６が確実に押し下げらされる。
【００３７】
特に図８を参照すると、発射バー２７０の先端側に延出した端部が、ステープルカートリッジ２０からアンビル２２を離間させ、組織を切断し、そしてステープルカートリッジ２０を作動させるためのＥビーム２８８に取り付けられている。このステープルカートリッジ２０は、上方に開口したステープル開口２９４内のステープルドライバ２９２に位置する複数のステープルを保持する成形カートリッジ本体２９０を含む。ウェッジスレッド２９６が、交換可能なステープルカートリッジ２０の様々な構成要素を保持するカートリッジトレイ２９８の上をスライドする時にＥビーム２８８によって先端側に移動する。ウェッジスレッド２９６は、ステープルドライバ２９２を上方にカム動作させてステープルを押し出し、これによりステープルがアンビル２２に接触して変形する。この時、Ｅビーム２８８の切断面３００がクランプされた組織を切断する。発射動作の際にＥビーム２８８の上部ピン３０２がアンビル２２に係合し、中間ピン３０４及び下部脚３０６により、細長い溝１８に形成された長手方向のスロット３０８の上面及び下面がそれぞれ、カートリッジトレイ２９８の対応する長手方向の開口３１０及びカートリッジ本体２９０の後部が開口した垂直スロット３１２に係合することを理解されたい。次いで、発射バー２７０が基端側に引き戻され、これによりＥビーム２８８も引き戻され、アンビル２２が開いて２つのステープルで止められた切断組織部分（不図示）が解放される。
【００３８】
ステープル止め組立体１２は、言及することを以ってその開示内容の全てを本明細書の一部とする２００４年９月３０日出願のフレデリックＥ．シェルトン４世（Frederick E. Shelton IV）らによる同時係属中の自己の米国特許出願第１０／９５５，０４２号（名称「ツーピースのビーム発射機構を含む関節運動外科用ステープル止め器具（ARTICULATING SURGICAL STAPLING INSTRUMENT INCORPORATING A TWO-PIECE E-BEAM FIRING MECHANISM）」）に詳細に開示されている。
【００３９】
特に図９‐図１３を参照すると、ＥＡＰアクチュエータシステム４００が、ハンドル１４から受け取る電気的な関節運動信号（不図示）に応答してシングルピボットフレーム組立体２３４を有利に作動させる。図７‐図１３に例示されている形態では、左右のＥＡＰファイバーアクチュエータ４０２及び４０４が、上部回動タブ２３８に取り付けられた先端側に延出した上部モーメントアーム４０６の両側に水平に取り付けられている。左右の上部ＥＡＰファイバーアクチュエータ４０２及び４０４の外側端部が、先端フレームグランド２５０の内径４１０の左右上部の横取付け点４０６及び４０８に取り付けられている。同様に、左右の下部ＥＡＰファイバーアクチュエータ４１２及び４１４が、下部回動タブ２４０に取り付けられた先端側に延出した下部モーメントアーム４１６の両側に水平方向に取り付けられている。左右の下部ＥＡＰファイバーアクチュエータ４１２及び４１４の外側端部が、先端フレームグランド２５０の内径４１０の左右下部の横取付け点４１８及び４２０にそれぞれ取り付けられている。取付け点４０６、４０８、４１８、及び４２０は、図示されているように、図１２の先端フレームグランド２５０を貫通している。左取付け点４０６及び４１８は、図９の先端フレームグランド２５０の外部に示されている。図１３、特に上下の右ＥＡＰファイバーアクチュエータ４０４及び４１４を参照されたい。一対のＥＡＰアクチュエータが作動すると、上下の右ＥＡＰファイバーアクチュエータ４０４及び４１４が収縮し、上下のモーメントアーム４０６及び４１６が先端フレームグランド２４０の右側に近づき、これにより上下のＥＡＰファイバーアクチュエータ４０２及び４１２が伸長し、長手方向に列を成した左側の垂直スリット２２０がつぶれ、垂直方向に列を成した右側の垂直スリット２２２が拡張する。
【００４０】
図１４‐図１８に示されているように、外科用切断／ステープル止め器具５００が、ダブルピボット閉止スリーブ組立体５０４（図１４及び図１５）及びシングルピボットフレーム組立体５０６（図１５‐図１８）を含む代替のＥＡＰ作動関節運動接合部５０２を含む。図１４では、ステープル止め組立体１２は、アンビル２２が開いて交換可能なステープルカートリッジ２０が取り除かれた状態で示されている。従って、ダブルピボット閉止スリーブ組立体５０４は基端位置にあり、先端回動軸がフレーム組立体５０６の回動軸に整合している。閉止スリーブ組立体５００が先端側に移動してアンビル２２を閉じると、関節運動フレーム組立体５０６に対して移動するように閉止スリーブ組立体５０４の基端回動軸も回動することを理解されたい。
【００４１】
特に図１５に示されているように、ダブルピボット閉止スリーブ組立体５０４は、先端側に延出した上下のタング５１４及び５１６を有する基端閉止リング５１２に先端部がキー結合する基端閉止チューブ５１０を含む。先端閉止チューブ５１８は、アンビル２２のアンビル閉止構造２２８に係合する馬蹄開口５２０を含む。先端閉止チューブ５１８の基端部は、端側に延出した上下のタング５２４及び５２６を有する先端閉止リング５２２にピンで止められる。上部ダブルピボットリンク５２８が、上方に延出した先端及び基端回動ピン５３０及び５３２を含む。これらの回動ピンがそれぞれ、上部基端側に延出したタング５２４に形成された上部先端ピンホール５３４及び上部先端側に延出したタング５１４の上部基端ピンホール５３６に係合する。下部ダブルピボットリンク５３８は、上方に延出した先端及び基端回動ピン５４０及び５４２を含み、これらの回動ピンがそれぞれ、基端側に延出した下部タング５２６の下部先端ピンホール５４４及び先端側に延出した下部タング５１６の下部基端ピンホール５４６に係合する。
【００４２】
特に図１５‐図１８に示されているように、シングルピボットフレーム組立体５０６は、左右のモーメントアーム５５６及び５５８の間に画定された先端側が開口した回動凹部５５４の基端側の中心に回動ピンホール５５２を含む。ドッグボーン型リンク５６０が、基端フレームグランド５５０の回動ピンホール５５２に上部が係合する基端ピン５６２、及び左右のモーメントアーム５５６と５５８との間で回動する中心バー５６４を含む。ドッグボーン型リンク５６０の先端ピン５６６が、細長い溝１８の基端ガイド５７４に係合する先端横ガイド５７２を有する先端フレームグランド５７０の下部基端孔５６８内に固着される。
【００４３】
ＥＡＰ作動システム５８０が、選択的に膨張してドッグボーン型リンク５６０の中心バー５６４を関節運動させる左右のＥＡＰスタックアクチュエータ５８２及び５８４を含む。ドックボーン型リンク５６０は、他方のＥＡＰスタックアクチュエータを受動的に圧迫する。図１８では、右ＥＡＰスタックアクチュエータ５８４が膨張してドッグボーン型リンク５６０が回動し、これによりステープル止め組立体１２が左側に回動し、左ＥＡＰスタックアクチュエータ５８２が受動的に圧迫される。
【００４４】
図１９に示されているように、外科器具６０２の更に別の代替のＥＡＰ作動関節運動接合部６００が、シングルピボットフレーム組立体６０４を含む。基端フレームグランド６０６が、先端フレームグランド６１０から先端側に延出したタング６０８に回動ピン６１２で係合している。先端側に延出したタング６０８は、右側面の凹部に位置し、回動ピン６１２の右側に半涙型プーリー６１４を画定している。収縮ＥＡＰファイバーアクチュエータ６１６の先端部が半涙型プーリー６１４の先端部に取り付けられている。収縮ＥＡＰファイバーアクチュエータ６１６は、プーリー６１４の形状に一致し、基端フレームグランド６０６内に伸びている。収縮ＥＡＰファイバーアクチュエータ６１６は、たとえ長さ方向の収縮率が低くても、大きく回動するのに十分な長さを有することができる。ＥＡＰ関節運動接合部６００に形成された機構と同様であるが、逆に回動する機構をタング６０８の左側面に形成することもできることを理解されたい。
【００４５】
回動関節運動機構に用いる関節運動固定機構
図２０‐図２７に示されているように、ＥＡＰ作動関節運動ロック７００が、外科器具７０４の回動関節運動接合部７０２に設けられている。分かり易くするために、シングルピボットフレーム機構７０６が、先端側に延出した上下の回動タブ７１０及び７１２を有する基端フレームグランド７０８で示されている。これらの回動タブはそれぞれ、エンドエフェクタ７２０に取り付けられる先端フレームグランド７１８の基端側に延出した上下のタング７１４及び７１６のそれぞれに回動可能に係合する。上部回動タブ７１０の上部内側孔７２２が、上部タング７１４の上部外側孔７２４の下側に整合し、上部回動ピン７２６によって互いに回動可能にピンで止められる。下部回動タブ７１２の下部内側孔７２８が、下部タング７１６の下部外側孔７３０の上に整合し、下部回動ピン７３２によって互いに回動可能にピンで止められる。上下のモーメントアーム７３４及び７３６がそれぞれ、上下の回動タブ７１４及び７１２から先端側に延出している。上部モーメントアーム７３４は、概ね水平な左上部ＥＡＰファイバーアクチュエータ７４０によって先端フレームグランド７１８に形成された左上部取付け点７３８に向かって近づくことができる。上部モーメントアーム７３４はまた、概ね水平な右上部ＥＡＰファイバーアクチュエータ７４４によって先端フレームグランド７１８に形成された右上部取付け点７４２に向かって近づくことができる。下部モーメントアーム７３６は、概ね平行な左下部ＥＡＰファイバーアクチュエータ７４８によって先端フレームグランド７１８に形成された左下部取付け点７４６に向かって近づくことができる。下部モーメントアーム７３６はまた、概ね平行な右下部ＥＡＰファイバーアクチュエータ７５２によって先端フレームグランド７１８に形成された右下部取付け点７５０に向かって近づくことができる。
【００４６】
アンビルピボットに作用するＥＡＰアクチュエータなどの閉止機構（不図示）の動作によってアンビル２２を閉止することができる。別法では、発射の運動によりステープル止め及び切断が行われる前にまずアンビルを閉じることができる。更なる別法では、閉止スリーブ組立体または他の長手方向に結合された機構（不図示）によってアンビル２２を閉止することができる。
【００４７】
上部ＥＡＰ作動関節運動固定機構８００が、回動関節運動接合部７０２の固定を解除して関節運動させることができる。次いで、ＥＡＰ作動関節運動固定機構８００は、リラックスした固定された状態にされ、関節運動の程度が変化せず電力が放散しない、すなわち構成要素が加熱しない安定した固定状態が得られる。上部固定ボルト組立体８０２が、長手方向の中心線から垂直方向に離間して上部回動タブ７１０の基端側の基端フレームグランド７０８に形成された矩形の上部固定凹部８０４内に示されている。固定ボルト８０６の固定先端８０８が、上部固定凹部８０４に形成された先端スロット８１０から延出して、先端フレームグランド７１８の上部回動タング７１４の基端面に形成された歯車部分８１４の最も近い歯車の谷８１２に係合している。固定ボルト８０６の基端側はクロスプレート８１６で終わっている。クロスプレート８１６は、基端側に位置する圧縮ばね８１８の付勢と、左右の上部ＥＡＰスタックアクチュエータ８２０及び８２２の付勢により矩形の上部固定凹部８０４内を長手方向にスライドする。左右のＥＡＰスタックアクチュエータ８２０及び８２２は、作動して長手方向に膨張し、圧縮ばね８１８を圧縮して固定ボルト８０６を基端側に移動させ、これにより固定チップ８０８を歯車部分８１４から係合解除して、関節運動接合部７０２を回動可能にして再び位置合わせが可能になる。上部固定カバー８２４により上部固定凹部８０４を閉止することができる。
【００４８】
図２３に示されているように、上部固定機構８００と同一の下部ＥＡＰ作動関節運動固定機構８３０が下部回動タング７１６に対して反対側で作用する。同様の固定機構を細長いシャフトの基端部ではなく先端部に設けることができることを理解されたい。更に、ダブルピボット結合が、それぞれのピボットで固定機構を含むことができる。
【００４９】
使用する場合、関節運動していないエンドエフェクタ７２０と回動関節運動接合部７０２（図２０‐図２４）を外科部位に挿入する。通常はＥＡＰ固定機構８００及び８３０に対するエネルギーの供給を止めると、基端フレームグランド７０８に取り付けられた固定チップ８０８が先端フレームグランド７１８の歯車部分８１４に係合し、シングルピボットフレーム組立体７０６が固定される。所望に応じて、ＥＡＰスタックアクチュエータ８２０及び８２２にエネルギーを供給して長手方向に伸長させ、ＥＡＰ関節運動固定機構８００及び８３０の固定を解除することができる。固定が解除されている間に、上部の左右ＥＡＰファイバーアクチュエータ７４４及び７５２を収縮させるなどして関節運動接合部７０２を関節運動させてエンドエフェクタ７２０を左側に回動させ（図２５）、固定チップ８０８を別の歯車の谷８１２に合わせ、エネルギー供給の停止でＥＡＰ関節運動固定機構８００により外科器具７０４の関節運動の状態が固定される。
【００５０】
図２８‐図２９に示されているように、シングルピボット関節運動接合部９０１に用いる代替のＥＡＰ関節運動システム９００が、上記したＥＡＰ関節運動固定機構８００と共に用いられる。基端フレームグランド９１８の上下の回動タブ９１４及び９１６のそれぞれの先端側に丸い上部及び下部モーメントアーム９１０及び９１２が形成されており、上下の対になった左右ＥＡＰファイバーアクチュエータ９０２、９０４、９０６、及び９０８が長くなっている。先端フレームグランド９２２の左上部取付け点９２０が右上部取付け点９２４よりもわずかに高い位置にある。左下部取付け点９２６もまた、右下部取付け点９２８よりもやや高い位置にある。これは、上下の丸いモーメントアーム９１０及び９１２をそれぞれ取り囲む上下の左ＥＡＰファイバーアクチュエータ９０２及び９０６が、上下の右ＥＡＰファイバーアクチュエータ９０４及び９０８よりも高いためである（図２９）。従って、所望の性能を得るために、モーメントアーム９１０及び９１２の長さ及び形状と共に長寸ＥＡＰファイバーアクチュエータ９０２‐９０８を選択することができる。
【００５１】
図３０‐図３３に示されているように、シングルピボット関節運動接合部１００１に用いる別の代替のＥＡＰ関節運動システム１００が、上記したＥＡＰ関節運動固定機構８００と共に用いられる。関節運動を行うＥＡＰファイバーアクチュエータの代わりに、上下の対になった左右ＥＡＰスタックアクチュエータ１００２、１００４、１００６、及び１００８がそれぞれ対向し、上下の長手方向のトラック１０１０及び１０１２を横方向に移動させる。先端側に延出した上部モーメントアーム１０１４が、基端フレームグランド１０１８の上部回動タブ１０１６に取り付けられている。上部モーメントアーム１０１４の先端部における上部の内側に向いたチップピン１０２０が、上部の長手方向トラック１０１０に長手方向にスライド可能に係合し、これにより先端フレームグランド１０２２によって横方向に拘束された上部の左右ＥＡＰスタックアクチュエータ１００２及び１０１４の異なる収縮及び膨張に応答する。先端側に延出した下部モーメントアーム１０２４が、基端フレームグランド１０１８の下部回動タブ１０２６に取り付けられている。上部モーメントアーム１０２４の先端部における下部の内側に向いたチップピン１０３０が、下部の長手方向トラック１０１２に長手方向にスライド可能に係合し、これにより先端フレームグランド１０２２によって横方向に拘束された下部の左右ＥＡＰスタックアクチュエータ１００６及び１００８の異なった収縮及び膨張に応答する。
【００５２】
図３０及び図３１に示されているように、ＥＡＰ関節運動固定機構８００が作動して、関節運動のために固定チップ８０８が歯車部分８１４から係合解除される。図３２及び図３３に示されているように、上下の左ＥＡＰスタックアクチュエータ１００２及び１００６にエネルギーが供給されて膨張し、これにより上下の長手方向トラック１０１０及び１０１２が横方向右側に移動し、上下の右ＥＡＰスタックアクチュエータ１００４及び１００８が圧縮され、上下の内側を向いたチップピン１０２０及び１０３０による力に応答して先端フレームグランド１０２２が移動する（例示されている関節運動では左側に曲がる）。
【００５３】
ＥＡＰ作動フレックスネック関節運動接合部を備えた外科器具
図３４に示されているように、外科器具１２００が、ＥＡＰ作動関節運動接合部１２０２を有利に含む。このＥＡＰ作動関節運動接合部１２０２は、ハンドル１２０８からエンドエフェクタ１２１０に閉止運動と発射運動を別々に伝達する細長いシャフト１２０６の関節運動フレーム組立体１２０４と一体である。エンドエフェクタ１２１０は、ステープル止め組立体１２１２として示され、交換可能なステープルカートリッジ１２１８を保持する細長い溝１２１６に対して回動可能に取り付けられた閉止可能なアンビル１２１４を有する。ハンドル１２０８は、ピストルグリップ１２２２に向かって基端側に引いてアンビル１２１４を閉止することができる閉止トリガー１２２０を含む。閉止スリーブ組立体１２２３または他の閉止手段（例えば、ＥＡＰ作動アンビル及び長手方向に内部を移動する部材など）（不図示）がアンビル閉止構造１２２４に作用して、アンビル１２１４を開閉できることを理解されたい。アンビルが閉じて組織をクランプしたら、より先端側の発射トリガー１２２６をピストルグリップ１２２２に向かって引いて発射部材１２２８を発射し、発射部材１２２８を細長いシャフト１２０６を長手方向先端側に移動させ、組織の切断及び切断した端部のステープル止めを行うことができる。発射トリガー１２２６を解放したら、閉止トリガー１２２０を僅かに押すと同時に閉止解除ボタン１２３０を押して、クランプ構成要素を解放し、閉止トリガー１２２０を解放してアンビル１２１４を開け、ステープル止めされた切断組織を解放することができる。回動ノブ１２３２により、細長いシャフト１２０６の長軸を中心に選択的に回動させることができる。
【００５４】
関節運動フレーム組立体１２０４は、基端側がハンドル１２０８に回動可能に取り付けられ、そして先端側が関節運動フレームグランド１２４２に取り付けられた基端フレームグランド１２４０を含む。関節運動フレームグランド１２４２は、エンドエフェクタ１２１０を支持する先端フレームグランド１２４４に取り付けられている。ハンドル１２０８の関節運動制御部１２４６により、関節運動フレームグランド１２４２の関節運動の選択を有利に行うことができる。具体的には、図３５に示されているように関節運動制御部１２４６によって左側への関節運動が選択されると、関節運動フレームグランド１２４２に対して適切な電気信号が送信される。関節運動制御部１２４６が、関節運動フレームグランド１２４２のための関節運動固定の手動及び／または自動の係合解除を有利に含むことができることを理解されたい。
【００５５】
図３６‐図３９に示されているように、関節運動フレームグランド１２４２は、左右のＥＡＰプレートアクチュエータ１３０２及び１３０４を用いたＥＡＰ作動システム１３００を含む。ＥＡＰプレートアクチュエータ１３０２及び１３０４は、概ね円柱状の弾性フレーム本体１３１０のそれぞれの横側の左右の矩形アクチュエータ凹部１３０６及び１３０８（図３８及び図３９）を通過している。矩形ナイフスロット１３１２が、発射部材１２２８の先端部分である発射バー１３１４を案内するために、左右の矩形アクチュエータ凹部１３０６と１３０８との間に整合して弾性フレーム本体１３１０に形成されている。
【００５６】
弾性フレーム本体１３１０の連続した上部及び下部長手方向バンド１３２０（図３６及び図３７）が、関節運動フレームグランド１２４２が真直または曲がっている時の発射バー１３１４の長手方向の移動距離を維持する。弾性フレーム本体１３１０は、その長軸方向に沿って有意に圧縮されない均一な材料から有利に形成されている。長手方向に整合した左右の複数の垂直凹部１３２２及び１３２４がそれぞれ、左右のＥＡＰアクチュエータ凹部１３０６及び１３０８に交差している。それぞれの垂直凹部１３２２及び１３２４は、弾性フレーム本体１３１０の上部から底部まで貫通している矩形貫通孔１３２６を含む。この矩形貫通孔１３２６は、矩形ナイフスロット１３１２と左右の矩形アクチュエータ凹部１３０６及び１３０８の対応する一方との両方に対して横方向にずれて平行に位置する。矩形貫通孔１３２６はそれぞれ、細い横ギャップ１３２８に横方向に連通している。近接する垂直凹部１３２２及び１３２４は、それらの間に細い内部壁１３３２及び厚い湾曲した外側スライス１３３４を有するリブ１３３０を画定している。細い内部壁１３３２により、連続した上部及び下部長手方向バンド１３２０を横方向に曲げることができる。外側スライス１３３４はそれぞれ、ＥＡＰプレートアクチュエータ１３０２及び１３０４の対応する一方を支持し、ＥＡＰプレートアクチュエータ１３０２及び１３０４の一方または両方が作動して選択した方向に曲がって細い横ギャップ１３２８が完全につぶれる前に、その方向で達成できる関節運動の程度を制限する。例えば、図３７では、左ＥＡＰプレートアクチュエータ１３０２が作動して左側に曲がり、右ＥＡＰプレートアクチュエータ１３０４がこれに対応して伸長している。左右のＥＡＰプレートアクチュエータ１３０２及び１３０４を電気的に作動させて交互に収縮及び膨張させ、左右の矩形アクチュエータ凹部１３０６及び１３０８内でそれぞれを引張るまたは押すことができることを理解されたい。
【００５７】
図３８及び図３９に示されているように、関節運動フレームグランド１２４２は、左側または右側に関節運動した状態の弾性フレーム本体１３１０を選択的に保持するＥＡＰ関節運動固定機構１３５０を有利に含む。そのため、左固定通路１３５２が、矩形貫通孔１３２６の最も左側の外側部分に近接して、その左側の複数の矩形貫通孔１３２６を貫通するように形成されており、これにより左側のリッジ付きＥＡＰ固定ストリップ１３５４をその通路内に配置することができる。同様に、右固定通路１３５６が、右側の複数の矩形貫通孔１３２６の最も右側の外側部分に近接してそれらの貫通孔１３２６を貫通するように形成されており、これにより右側のリッジ付きＥＡＰ固定ストリップ１３５８をその通路内に配置することができる。複数の垂直固定リッジ１３６２が、左右両方のリッジ付きＥＡＰ固定ストリップ１３５４及び１３５８のそれぞれの最も外側の面１３６０に沿って形成されており、リブ１３３０の形状と協働して所望の関節運動の程度で固定するように長手方向に離間し、それに適した大きさを有する。具体的には、可撓性フレームグランド１２４２が、リッジ付きＥＡＰ固定ストリップ１３５４及び１３５８のそれぞれの反対側に向かって関節運動すると、図３８に示されているように左側に関節運動した場合は、右側のリブ１３３０が互いに離れる方向に弧状になる。リブ１３３０が固定に十分な距離離間すると、（すなわち、垂直固定リッジ１３６２の長手方向の幅よりも広く離間すると）、右リッジ付きＥＡＰ固定ストリップ１３５８が外側に向かって付勢され、そのリッジ１３６２が、近接するリブ１３３０の厚い湾曲した外側スライス１３３４間に進入する。右リッジ付きＥＡＰ固定ストリップ１３５８が作動して収縮すると、右リッジ付きＥＡＰ固定ストリップ１３５８の固定が解除される。図３９に示されているように、矩形ナイフスロット１３１２の上方及び下方をそれぞれ横方向に通る上下のガイドピン１３７０及び１３７２が横方向の整合を維持する。
【００５８】
図４０では、関節運動フレームグランド１２４２は、左右の複数のＥＡＰリブスプレッダープレートアクチュエータ１４０２を用いるＥＡＰ動作システム１４００を含む。ＥＡＰリブスプレッダープレートアクチュエータ１４０２はそれぞれ、弾性フレーム本体１４０８の対になって対向した先端側及び基端側が開口した矩形凹部の間に位置する。対になって対向した先端側及び基端側が開口した矩形アクチュエータ凹部１４０４及び１４０６はそれぞれ、横方向に画定されたリブ１４１０の近接した対（基端側／先端側）に形成されている。それぞれのリブ１４１０は、その高さに沿って横方向外側に開口した垂直スロット１４１２を含み、それよりも内側に形成された広い矩形貫通孔１４１４が外側に細くなって外側垂直スロット１４１６を成している。従って、それぞれのリブ１４１０は、上部と下部の長手方向連続バンド１４２０を連結する薄い内壁１４１８を含む。矩形ナイフスロット１４２２が、長手方向の中心線に沿って横方向に形成されている。上記したように、左右のリッジ付きＥＡＰ固定ストリップ１３５４及び１３５８が、関節運動フレームグランド１２４２の膨張した側で拡張した湾曲形状に有利に広がり、横方向ガイドピン１３７０によって長手方向の整合が維持される。
【００５９】
図４１及び図４２では、関節運動フレームグランド１２４２は、弾性フレーム本体１５０２の中に別の代替のＥＡＰ作動システム１５００を含む。ＥＡＰ作動システム１５００は、対応する左右の複数の横方向のリブ１５１０を通過する左右の垂直スタック１５０６及び１５０８に配置され長手方向に整合したＥＡＰファイバーアクチュエータ１５０４を含む。リブ１５１０はそれぞれ、上下の連続した長手方向バンド１５１４を横方向に曲げ易いようにこれらのバンド１５１４を連結する薄い内側垂直壁１５１２を有する。それぞれのリブ１５１０は、厚い外側スライス１５１６まで横方向に延びている。この厚い外側スライス１５１６は、その方向の関節運動を制限する寸法を有している。それぞれの厚い外側スライス１５１６は、ＥＡＰファイバーアクチュエータ１５０４を通すことができるように垂直方向に整合した長手方向貫通孔１５１８を含む。先端及び基端横カバー１５２０及び１５２２が、ＥＡＰファイバーアクチュエータ１５０４のそれぞれの端部を覆うべくリブ１５１０に長手方向に隣接して位置されている。横方向の中心に位置するナイフスロット１５２４が、発射バー１３１４のために弾性フレーム本体１５０２に形成されている。ＥＡＰファイバーアクチュエータ１５０４の選択した垂直スタック１５０６または１５０８を収縮させると、その方向に関節運動し、作動していない垂直スタック１５０６または１５０８はその収縮に応答して受動的に伸長する。
【００６０】
発射バーのためのＥＡＰ支持プレート
図４３‐図５４に示されているように、関節運動接合部の発射バーを支持する横方向に対称な様々なタイプの対になった支持プレートが一般的である。加えて、本発明に従った適用例は、長手方向に対称でない支持プレートに対して、図示した関節運動接合部の基端部または先端部として端部を含むことができると考えられる。従って、１つの横方向に対称な構成要素の接尾記号「ａ」及びその鏡像の構成要素の接尾記号「ｂ」は右または左を指定するものではない。
【００６１】
図４３に示されているように、外科器具２００２の関節運動接合部２０００が、関節運動した時に引掛かり及び座屈を最小限にするために発射バー２００８を横方向に支持する一対のＥＡＰ支持プレート２００４及び２００６を含むそれぞれの構造部材２０１０ａ、２０１０ｂ（例えば、硬質ポリマーや金属）を含む。支持プレート２００４及び２００６はそれぞれ、横方向の拡張端部２０１２ａ、２０１２ｂ及び真直端部２０１８ａ、２０１８ｂを含む。拡張端部２０１２ａ、２０１２ｂは、第１のフレームグランド２０１６の対応する大きさの凹部２０１４ａ、２０１４ｂ内に保持され、真直端部２０１８ａ、２０１８ｂは、第２のフレームグランド２０２０内にスライド可能に受容される。長手方向に伸長するＥＡＰラミネート２０２２ａ、２０２２ｂが、支持プレート２００４及び２００６のそれぞれの内面を覆っている。
【００６２】
図４４に示されているように、関節運動接合部２０００が一側に関節運動すると、発射バー２００８が関節運動した長手方向の軸２０２４を超えて支持プレート２００６に接触する。支持プレートによる横方向の支持により、発射バー２００８が関節運動接合部２０００から逸脱するのが防止され、かつ／または関節運動に必要な力が小さいより柔軟な発射バー２００８の製造が可能になる。加えて、それぞれの支持プレート２００４及び２００６上のＥＡＰラミネート２０２２ａ、２０２２ｂを必要に応じて作動させ、その両方の曲がり具合を制御し、発射バー２００８のために両プレート間の所望の空間を維持することができる。真直端部２０１８ａ、２０１８ｂが第２のフレームグランド部分２０２０内にスライドして、外側支持プレート２００６に比べて必要な移動距離が小さい内側支持プレート２００４に対処する。ＥＡＰラミネート２０２２ｂは更に、発射バー２００８の横方向のガイドに役立つクッション及び低い表面摩擦特性を提供することができる。
【００６３】
図４５に示されているように、外科器具２１０２の代替の関節運動接合部２１００が、関節運動した時に引掛かり及び座屈を最小限にするために発射バー２１０８を横方向に支持する一対のＥＡＰ支持プレート２１０４及び２１０６を含む。支持プレート２１０４及び２１０６はそれぞれ、横方向に拡張端部２１１２及び真直端部２１１８を含む構造部材２１１０ａ、２１１０ｂ（例えば、硬質ポリマーや金属）を含む。拡張端部２１１２ａ、２１１２ｂは、第１のフレームグランド２１１６の対応する大きさの凹部２１１４ａ、２１１４ｂ内に保持され、真直端部２１１８ａ、２１１８ｂは第２のフレームグランド２１２０内にスライド可能に受容される。長手方向に伸長するＥＡＰラミネート２１２２ａ、２１２２ｂが、支持プレート２１０４及び２１０６のそれぞれの外面を覆っている。関節運動接合部２１００が一側に関節運動すると、発射バー２１０８が関節運動した長手方向の軸２１２４を超えて支持プレート２１０６に接触する。支持プレートによる横方向の支持により、発射バー２１０８が関節運動接合部２１００から逸脱するのが防止され、かつ／または関節運動に必要な力が小さいより柔軟な発射バー２１０８の製造が可能になる。加えて、各支持プレート２１０４及び２１０６のＥＡＰラミネート２１２２ａ、２１２２ｂをそれぞれ必要に応じて作動させ、その両方の曲がり具合を制御し、発射バー２１０８のために両プレート間の所望の空間を維持することができる。真直端部２１１８ａ、２１１８ｂが第２のフレームグランド部分２１２０内をスライドして、外側支持プレート２１０６よりも短い移動距離の内側支持プレート２１０４に対処する。ＥＡＰラミネート２１２２ａ、２１２２ｂを発射バー２１０８に接触しないように離して配置することにより、ＥＡＰラミネート２１２２ａ、２１２２ｂの磨耗を軽減できるなどの利点を得ることができる。
【００６４】
図４６に示されているように、外科器具２２０２の別の代替の関節運動接合部２２００が、関節運動した時に引掛かり及び座屈を最小限にするために発射バー２２０８を横方向に支持する一対のＥＡＰ支持プレート２２０４及び２２０６を含む。支持プレート２２０４及び２２０６はそれぞれ、第１の外側湾曲端部２２１２ａ、２２１２ｂ及び第２の外側湾曲端部２２１８ａ、２２１８ｂを含む構造部材２２１０（例えば、金属など）を含む。第１の端部２２１２ａ、２２１２ｂは、第１のフレームグランド２２１６の第１の内側に開口した凹部２２１４ａ、２２１４ｂ内に拘束されて長手方向に自由に移動でき、第２の端部２２１８ａ、２２１８ｂは、第２のフレームグランド２２２２の第２の内側に開口した凹部２２２０ａ、２２２０ｂ内に拘束されて長手方向に自由に移動できる。長手方向に伸長するＥＡＰラミネート２２２４ａ、２２２４ｂが、それぞれの支持プレート２２０４及び２２０６の内面を覆っている。
【００６５】
図４７に示されているように、外科器具２３０２の更に別の代替の関節運動接合部２３００が、関節運動した時に引掛かり及び座屈を最小限にするために発射バー２３０８を横方向に支持する一対のＥＡＰ支持プレート２３０４及び２３０６を含む。支持プレート２３０４及び２３０６はそれぞれ、第１の外側湾曲端部２３１２ａ、２３１２ｂ及び第２の外側湾曲端部２３１８ａ、２３１８ｂを含む構造部材２３１０ａ、２３１０ｂ（例えば、金属など）を含む。第１の端部２３１２ａ、２３１２ｂは、第１のフレームグランド２３１６の内側に開口したスロット２３１４ａ、２３１４ｂに固定され、第２の端部２３１８ａ、２３１８ｂは、第２のフレームグランド２３２２の内側に開口した凹部２３２０ａ、２３２０ｂ内に拘束されて長手方向に自由に移動できる。長手方向に伸長するＥＡＰラミネート２３２４ａ、２３２４ｂが、それぞれの支持プレート２３０４及び２３０６の内面を覆っている。一対の圧縮ばね２３２６ａ、２３２８ａが、内側に開口した凹部２３２０ａ内で長手方向に整合しており、支持プレート２３０４の第２の外側湾曲端部２３１８ａをその中立位置にくるように付勢している。同様に、一対の圧縮ばね２３２６ｂ、２３２８ｂも、内側に開口した凹部２３２０ｂ内で長手方向に整合しており、支持プレート２３０６の第２の外側湾曲端部２３１８ｂをその中立位置にくるように付勢している。
【００６６】
図４８に示されているように、外科器具２４０２の別の代替の関節運動接合部２４００が、関節運動した時に引掛かり及び座屈を最小限にするために発射バー２４０８を横方向に支持する一対のＥＡＰ支持プレート２４０４及び２４０６を含む。支持プレート２４０４及び２４０６はそれぞれ、第１の外側湾曲端部２４１２ａ、２４１２ｂ及び第２の外側湾曲端部２４１８ａ、２４１８ｂを含む構造部材２４１０ａ、２４１０ｂ（例えば、金属など）を含む。第１の端部２４１２ａ、２４１２ｂは、第１のフレームグランド２４１６ａ、２４１６ｂの第１の内側に開口した凹部２４１４ａ、２４１４ｂ内に拘束されて長手方向に自由に移動でき、第２の端部２４１８ａ、２４１８ｂは、第２のフレームグランド２４２２の第２の内側に開口した凹部２４２０ａ、２４２０ｂ内に拘束されて長手方向に自由に移動できる。長手方向に伸長するＥＡＰラミネート２４２４ａ、２４２４ｂが、それぞれの支持プレート２４０４及び２４０６の内面を覆っている。一対の圧縮ばね２４２６ａ‐２４２８ａ及び２４２６ｂ‐２４２８ｂが、第１の内側に開口した凹部２４１４ａ、２４１４ｂ内に長手方向に整合しており、それぞれの支持プレート２４０４及び２４０６の第１の外側湾曲端部２４１２ａ、２４１２ｂをその中立位置に付勢している。別の一対の圧縮ばね２４３０ａ‐２４３２ａ及び２４３０ｂ‐２４３２ｂが、第２の内側に開口した凹部２４２０ａ、２４２０ｂ内に長手方向に整合しており、それぞれの支持プレート２４０４及び２４０６の第２の外側湾曲端部２４１８ａ、２４１８ｂをその中立位置に付勢している。
【００６７】
図４９‐図５２に示されているように、外科器具２５０２の別の代替の関節運動接合部２５００がＥＡＰ支持プレート２５０４及び２５０６を含む。ＥＡＰ支持プレート２５０４及び２５０６は、基端側が基端フレームグランド２５１６に結合され、そして先端側が先端フレームグランド２５１８に結合され、関節運動フレームグランド２５１４の弾性フレーム本体２５１２のナイフスロット２５１０の発射バー２５０８の両側に配置されている。左ＥＡＰプレートアクチュエータ２５２０が、弾性フレーム本体２５１２に形成された左側の複数の横方向リブ２５２２を通過している。右ＥＡＰプレートアクチュエータ２５２４が、右側の複数の横方向リブ２５２６を通過している。ＥＡＰプレートアクチュエータ２５２０及び２５２４はそれぞれ、基端側が基端フレームグランド２５１６内に延び、内側プレート２５３０ａ、２５３０ｂに取り付けられた外側ＥＡＰラミネート層２５２８ａ、２５２８ｂをそれぞれ含み、電気エネルギーが供給されると作動して他側に向かって先端フレームグランド２５１８を曲げるように構成されている。弾性フレーム本体２５１２は、それぞれの支持プレート２５０４及び２５０６のそれぞれの基端側の外側湾曲端部２５３４ａ、２５３４ｂを保持する基端側の内側に開口した凹部２５３２を含む。それぞれの支持プレート２５０４及び２５０６の先端真直端部２５３６ａ、２５３６ｂにより、図５１に示されているように、ナイフスロット２５１０からスライドして外れ、関節運動の移動距離の変化を対処することできる。
【００６８】
図５３に示されているように、外科器具２６０２の別の代替の関節運動接合部２６００が、関節運動した時に引掛かり及び座屈を最小限にするために発射バー２６０８を横方向に支持する一対のＥＡＰ支持プレート２６０４及び２６０６を含む。支持プレート２６０４及び２６０６はそれぞれ、第１の外側湾曲端部２６１２ａ、２６１２ｂ及び第２の外側湾曲端部２６１８ａ、２６１８ｂを含む構造部材２６１０ａ、２６１０ｂ（例えば、金属など）を含む。第１の外側湾曲端部２６１２ａ、２６１２ｂは、第１のフレームグランド２６１６の内側に開口した左右のスロット２６１４ａ、２６１４ｂに固定され、第２の端部２６１８ａ、２６１８ｂは、第２のフレームグランド２６２２の内側に開口した凹部２６２０ａ、２６２０ｂ内に拘束されて長手方向に自由に移動できる。
【００６９】
長手方向に伸長する外側ＥＡＰラミネート２６２４ａ、２６２４ｂが、第２の外側湾曲端部２６１８ａ、２６１８ｂに対して内側に開口した凹部２６２０ａ、２６２０ｂのそれぞれの外側部分に配置されている。長手方向に伸長する内側ＥＡＰラミネート２６２５ａ、２６２５ｂが、第２の外側湾曲端部２６１８ａ、２６１８ｂの反対側に向かって内側に開口した凹部２６２０ａ、２６２０ｂのそれぞれの内側部分に配置されている。従って、長手方向に伸長する外側ＥＡＰラミネート２６２４ａ、２６２４ｂの一方を作動させて、対応する支持プレート２６０４または２６０６を伸長することができる。これとは逆に、長手方向に伸長する内側ＥＡＰラミネート２６２５ａ、２６２５ｂの一方を作動させて、対応する支持プレート２６０４または２６０６を収縮することができる。
【００７０】
図５４に示されているように、外科器具２７０２の別の代替の関節運動接合部２７００が、関節運動した時に引掛かり及び座屈を最小限にするために発射バー２７０８を横方向に支持する一対のＥＡＰ支持プレート２７０４及び２７０６を含む。支持プレート２７０４及び２７０６はそれぞれ、第１の外側湾曲端部２７１２ａ、２７１２ｂ及び第２の外側湾曲端部２７１８ａ、２７１８ｂを含む構造部材２７１０ａ、２７１０ｂ（例えば、金属など）を含む。第１の外側湾曲端部２７１２ａ、２７１２ｂは、第１のフレームグランド２７１６の第１の内側に開口したスロット２７１４ａ、２７１４ｂ内に拘束されて長手方向に自由に移動でき、第２の外側湾曲端部２７１８ａ、２７１８ｂは、第２のフレームグランド２７２２の第２の内側に開口した凹部２７２０ａ、２７２０ｂ内に拘束されて長手方向に自由に移動できる。
【００７１】
長手方向に伸長する外側ＥＡＰラミネート２７２４ａ、２７２４ｂが、第２の外側湾曲端部２７１８ａ、２７１８ｂに対して第２の内側に開口した凹部２７２０ａ、２７２０ｂのそれぞれの外側部分に配置されている。長手方向に伸長する内側ＥＡＰラミネート２７２６ａ、２７２６ｂが、第２の外側湾曲端部２７１８ａ、２７１８ｂのそれぞれの反対側に向かって第２の内側に開口した凹部２７２０ａ、２７２０ｂの内側部分に配置されている。支持プレート２７０４及び２７０６の有効な伸長または収縮を実質的に２倍にするために、別の長手方向に伸長する外側ＥＡＰラミネート２７３４ａ、２７３４ｂが、第１の外側湾曲端部２７１２ａ、２７１２ｂに対して第１の内側に開口した凹部２７１４ａ、２７１４ｂのそれぞれの外側部分に配置されている。別の長手方向に伸長する内側ＥＡＰラミネート２７３５ａ、２７３５ｂが、第１の外側湾曲端部２７１２ａ、２７１２ｂのそれぞれの反対側に向かって第１の内側に開口した凹部２７２０ａ、２７２０ｂの内側部分に配置されている。従って、長手方向に伸長する外側ＥＡＰラミネート２７２４ａ及び２７３４ａである第１の横方向の対を作動させ、次いで長手方向に伸長する外側ＥＡＰラミネート２７２４ｂ及び２７３４ｂである第２の横方向の対を作動させて、支持プレート２７０６を有効に伸長することができる。これとは逆に、長手方向に伸長する内側ＥＡＰラミネート２７２６ａ及び２７３６ａである第１の横方向の対を作動させ、次いで長手方向に伸長する内側ＥＡＰラミネート２７２６ｂ及び２７３６ｂである第２の横方向の対を作動させて、支持プレート２７０６を有効に収縮することができる。
【００７２】
これらの各形態では、関節運動支持制御回路を用いて、一方または両方のＥＡＰ支持プレートを作動させてその長手方向の長さを変更する、または長手方向の曲がり具合を有利に変更することができる。例えば、ＥＡＰ支持プレートの作動により、関節運動接合部を関節運動させ、かつ発射バーを支持し、これにより作動を維持することができる。別の例では、関節運動接合の関節運動は、作動している間すなわち迅速な発射動作の間（例えば、エンドエフェクタの閉止が検出された後、またはその指令の後）に、起動された関節運動支持制御回路を用いて機械的手段または電気的手段によって別々に行うのが好ましいであろう。
【００７３】
複数の実施形態を用いて本発明を例示し、例示的な実施形態をかなり詳細に説明したが、出願者は、このような詳細に添付の特許請求の範囲が限定されることを意図するものではない。当業者であれば、別の利点及び改良に容易に想到するであろう。
【００７４】
例えば、例示された形態では手動操作外科器具が示されているが、本発明の態様を自動装置により配置及び制御される器具に組み込むことができることを理解されたい。従って、ハンドル部分は、固定具に取り付けられて安定した外側部分を含むことができる。
【００７５】
本発明の実施態様は以下の通りである。
（１）外科器具であって、
関節運動支持信号を生成するように機能的に構成された関節運動制御回路、及び長手方向に移動する発射バーを有する発射機構を含むハンドル部分と、
前記ハンドル部分に取り付けられた、前記発射バーを受容する発射バーガイドスロットを含む細長いシャフトと、
前記細長いシャフトの先端側に取り付けられた、前記発射バーの先端部によって作動されるエンドエフェクタと、
前記細長いシャフトを前記エンドエフェクタに結合する、前記細長いシャフトを介して前記関節運動支持信号を受け取る関節運動接合部と、
前記関節運動支持信号に応答して選択された横方向に関節運動させるために寸法を調節する、前記発射バーの両側の前記関節運動接合部に配置された一対の電気活性ポリマー支持部材とを含むことを特徴とする外科器具。
（２）関節運動の内側になる前記一対の電気活性ポリマー支持部材の選択された一方が前記関節運動支持信号に応答して収縮することを特徴とする実施態様（１）に記載の外科器具。
（３）関節運動の外側になる前記一対の電気活性ポリマー支持部材の選択された一方が前記関節運動支持信号に応答して伸長することを特徴とする実施態様（１）に記載の外科器具。
（４）前記電気活性ポリマー支持部材のそれぞれが、前記関節運動支持信号に応答して横方向に撓むように機能的に構成された電気活性ポリマープレートアクチュエータを含むことを特徴とする実施態様（１）に記載の外科器具。
（５）前記関節運動接合部の基端部分及び先端部分の選択された一方が、前記発射バーガイドスロットに連通したフレーム凹部を含み、
前記各電気活性ポリマープレートアクチュエータが、前記フレーム凹部内に受容された外側湾曲端部を有する硬質基材、及び前記関節運動支持信号に応答して曲がる前記硬質基材の一側に取り付けられた電気活性ポリマーアクチュエータを含むことを特徴とする実施態様（４）に記載の外科器具。
【００７６】
（６）更に、前記硬質基材の前記外側湾曲端部と前記フレーム凹部の壁部との間に長手方向に挿入された弾性部材を含むことを特徴とする実施態様（５）に記載の外科器具。
（７）前記電気活性ポリマーアクチュエータが、前記発射バーに近接した前記硬質基材の内面に取り付けられていることを特徴とする実施態様（５）に記載の外科器具。
（８）前記硬質基材の内面が前記発射バーに近接しており、前記電気活性ポリマーアクチュエータが前記硬質基材の外面に取り付けられていることを特徴とする実施態様（５）に記載の外科器具。
（９）前記関節運動接合部が、前記細長いシャフトに取り付けられた基端部分及び前記エンドエフェクタに取り付けられた先端部分を含み、
前記基端部分が、前記先端部分に対して関節運動するように取り付けられており、
電気活性ポリマーアクチュエータが、前記基端部分及び前記先端部分のそれぞれに取り付けられ、前記関節運動支持信号に応答して関節運動を起こすように機能的に構成されていることを特徴とする実施態様（１）に記載の外科器具。
（１０）前記関節運動接合部が、前記先端部分に回動可能に取り付けられた前記基端部分を含むことを特徴とする実施態様（９）に記載の外科器具。
【００７７】
（１１）前記関節運動接合部が、それぞれ長手方向に収縮しない可撓性の材料から形成された上部バンド及び下部バンドと、複数の左垂直リブ及び複数の右垂直リブを含み、
前記各バンドが、前記基端部分と前記基端部分との間に取り付けられており、
前記複数の左右の垂直リブのそれぞれが、前記上部バンドと前記下部バンドとの間のそれぞれの側面に取り付けられていることを特徴とする実施態様（９）に記載の外科器具。
（１２）関節運動の内側になる前記一対の電気活性ポリマー支持部材の選択された一方が前記関節運動支持信号に応答して収縮することを特徴とする実施態様（９）に記載の外科器具。
（１３）関節運動の外側になる前記一対の電気活性ポリマー支持部材の選択された一方が前記関節運動支持信号に応答して伸長することを特徴とする実施態様（９）に記載の外科器具。
（１４）前記電気活性ポリマー支持部材のそれぞれが、前記関節運動支持信号に応答して横方向に撓むように機能的に構成された電気活性ポリマープレートアクチュエータを含むことを特徴とする実施態様（９）に記載の外科器具。
（１５）前記電気活性ポリマー支持部材のそれぞれが、長手方向部分、両端部の外側湾曲端部、内側電気活性ポリマーアクチュエータ、及び外側電気活性ポリマーアクチュエータを含み、
前記両端部の外側湾曲端部がそれぞれ、前記関節運動接合部の前記基端部分内及び前記先端部分内に拘束されており、
前記内側及び外側電気活性ポリマーアクチュエータのそれぞれが、前記外側湾曲端部の選択された一方の長手方向両側に配置され、長手方向に伸長するように構成されており、
前記関節運動接合部の前記基端部分及び前記先端部分のそれぞれが、前記内側及び外側電気活性ポリマーアクチュエータと前記湾曲端部の選択された一方を受容する内側に開口した凹部を含むことを特徴とする実施態様（９）に記載の外科器具。
【００７８】
（１６）前記電気活性ポリマー支持部材のそれぞれが、第２の対の内側電気活性ポリマーアクチュエータ及び外側電気活性ポリマーアクチュエータを含み、
これらの電気活性ポリマーアクチュエータがそれぞれ、前記外側湾曲端部の他方の長手方向両側に配置され、長手方向に伸長するように構成されており、
前記関節運動接合部の前記基端部分及び前記先端部分のそれぞれが、前記第２の対の内側及び前記外側電気活性ポリマーアクチュエータと前記湾曲端部の他方を受容する内側に開口した凹部を含み、
前記関節運動制御回路が、選択された前記電気活性ポリマー支持部材の両方の外側電気活性ポリマーアクチュエータを作動させて伸長させたり、その両方の内側ポリマーアクチュエータを作動させて収縮させることができるように機能的に構成されていることを特徴とする実施態様（１５）に記載の外科器具。
（１７）外科器具であって、
関節運動支持信号を生成するように機能的に構成された関節運動制御回路を含むハンドル部分と、
前記ハンドル部分に取り付けられた細長いシャフト、
前記細長いシャフトの先端側に取り付けられたエンドエフェクタと、
前記細長いシャフトを前記エンドエフェクタに結合する、前記細長いシャフトを介して前記関節運動支持信号を受け取る関節運動接合部と、
前記関節運動接合部の両側面に配置された一対の電気活性ポリマー支持部材とを含み、
前記各電気活性ポリマー支持部材の一端が前記関節運動接合部内に長手方向に拘束され、他端がスライド可能に受容されており、
前記各電気活性ポリマー支持部材が、前記細長いシャフトの長手方向の軸に対して整合し横方向にずれており、かつ前記関節運動支持信号に応答して横方向に曲がることを特徴とする外科器具。
（１８）外科器具であって、
関節運動支持信号を生成するように機能的に構成された関節運動制御回路を含むハンドル部分と、
前記ハンドル部分に取り付けられた細長いシャフト、
前記細長いシャフトの先端側に取り付けられたエンドエフェクタと、
前記細長いシャフトを前記エンドエフェクタに結合する、前記細長いシャフトを介して前記関節運動支持信号を受け取る関節運動接合部と、
前記関節運動接合部の両側面に配置された一対の電気活性ポリマー支持部材とを含み、
前記各電気活性ポリマー支持部材の両端が、前記関節運動接合部内に長手方向に拘束されており、
前記各電気活性ポリマー支持部材が、前記細長いシャフトの長手方向の軸に対して整合し横方向にずれており、かつ前記関節運動支持信号に応答して選択的に伸長または収縮することを特徴とする外科器具。
【図面の簡単な説明】
【００７９】
【図１】開いて関節運動していない状態の外科用ステープル止め及び切断用の内視鏡外科用ステープル器具の後方からの斜視図である。
【図２】ラミネート電気活性ポリマー（ＥＡＰ）複合材の斜視図である。
【図３】接着された複数のラミネートＥＡＰ複合材からなるスタックから形成されたＥＡＰプレートアクチュエータの斜視図である。
【図４】収縮するＥＡＰファイバーアクチュエータの長手方向の軸に沿って破断した斜視図である。
【図５】図４の収縮するＥＡＰファイバーアクチュエータの線５‐５に沿って見た断面図である。
【図６】可撓性閉止スリーブ組立体、回動フレーム組立体、及び閉じたステープル止め組立体を備えた図１の外科器具に用いるＥＡＰ作動関節運動接合部の右前方からの斜視図である。
【図７】可撓性閉止スリーブ組立体が取り除かれ、シングルピボットフレーム組立体が部分的に分解された図６の閉止したステープル止め組立体及びＥＡＰ作動関節運動接合部の右前方からの斜視図である。
【図８】図６のステープル止め組立体及びＥＡＰ作動関節運動接合部の右前方からの斜視図である。
【図９】図７のＥＡＰファイバーアクチュエータを含む分解されたシングルピボットフレーム組立体の詳細図である。
【図１０】一対のＥＡＰファイバーアクチュエータを示す、ＥＡＰ作動関節運動接合部の回動軸を縦断する図６の線１０‐１０に沿って見た右側断面図である。
【図１１】下部モーメントアーム及び下部ＥＡＰファイバーアクチュエータを示すＥＡＰ作動関節運動接合部の長手方向の軸を縦断する図６の線１１‐１１に沿って見た断面図である。
【図１２】横方向ＥＡＰファイバーアクチュエータに沿った図１０の線１２‐１２に沿って見た断面図である。
【図１３】上下の右ＥＡＰファイバーアクチュエータが収縮してステープル止め組立体が左側に関節運動した状態を示す図１１のＥＡＰ作動関節運動接合部の平面図である。
【図１４】エンドエフェクタのアンビルの基端位置の開口にダブルピボット閉止スリーブを含む別の代替のＥＡＰ作動関節運動接合部の右前方からの斜視図である。
【図１５】ダブルピボット閉止スリーブ組立体及びシングルピボットフレーム組立体を含む図１４の別の代替のＥＡＰ作動関節運動接合部の右前方からの組立分解図である。
【図１６】発射構成要素が配置された状態の図１４の線１６‐１６に沿って見た代替のＥＡＰ作動関節運動接合部の右側断面図である。
【図１７】図１４の線１７‐１７に沿って見た関節運動していない状態の別のＥＡＰ作動関節運動接合部の平面図である。
【図１８】図１４の線１７‐１７に沿って見た左側に関節運動した状態の別のＥＡＰ作動関節運動接合部の平面図である。
【図１９】収縮ＥＡＰファイバーアクチュエータが別の代替のＥＡＰ作動関節運動接合部を真直にする位置にあるやや関節運動した状態の別の代替のＥＡＰ作動関節運動接合部を示す図である。
【図２０】通常は固定されるように付勢されているＥＡＰ関節運動固定機構を有利に含むシングルピボット関節運動接合部の右前方からの部分組立分解斜視図である。
【図２１】シングルピボット関節運動接合部の基端フレームグランドにおけるＥＡＰ関節運動固定機構の基端部分の右前方からの詳細な斜視図である。
【図２２】図２０のシングルピボット関節運動接合部の平面図である。
【図２３】図２２の長手方向の中心線２３‐２３に沿って見たシングルピボット関節運動接合部の右側断面図である。
【図２４】関節運動していない状態のＥＡＰ関節運動固定機構によって固定された上部回動タングの歯車部分を示す図２３の線２４‐２４に沿って見たシングルピボット関節運動接合部の断面図である。
【図２５】ＥＡＰ関節運動固定機構が作動して固定されていない状態のエンドエフェクタが左側に部分的に関節運動した基端フレームグランドの下部回動タブを示す図２３の中心線２５‐２５に沿って見たシングルピボット関節運動接合部の断面図である。
【図２６】接合部を関節運動させるＥＡＰファイバーアクチュエータの取付け部を示す図２４の線２６‐２６に沿って見たシングルピボット関節運動機構の先端フレームグランドの断面図である。
【図２７】ＥＡＰ作動固定機構の固定ピン及びＥＡＰスタックアクチュエータを示す図２４の線２７‐２７に沿って見たシングルピボット関節運動接合部の基端フレームグランドの断面図である。
【図２８】ＥＡＰ関節運動固定機構と組み合わせた丸いモーメントアームに作動する長寸ＥＡＰファイバーアクチュエータを備えたシングルピボット関節運動接合部の基端フレームグランドの上部回動タブと先端フレームグランドの上部回動タングとの接触面に沿って見た断面図である。
【図２９】先端側からのモーメントアーム及びそこに連結された長寸ＥＡＰファイバーアクチュエータを詳細に示すＥＡＰ関節運動固定機構及び基端フレームグランドを横断する断面図である。
【図３０】関節運動の準備として作動した通常は固定されているＥＡＰ関節運動固定機構と共に用いる関節運動させるための上部回動タブの先端側に取り付けられたモーメントアームに用いられる膨張ＥＡＰスタックアクチュエータを例示する基端フレームグランドの上部回動タブの上面に沿って見たシングルピボット関節運動接合部の断面図である。
【図３１】モーメントアームから上部及び下部の先端ピンを通り、ＥＡＰスタックアクチュエータを横断する図３０のシングルピボット関節運動接合部の断面図である。
【図３２】先端フレームグランドが左側に関節運動した後であって、関節運動の固定を行うためにＥＡＰ関節運動固定機構にエネルギーを供給する前の基端フレームグランドの上部回動タブの上面に沿って見た図３０のシングルピボット関節運動接合部の断面図である。
【図３３】モーメントアームから上部及び下部の先端ピンを通り左側が膨張し右側が圧縮されたＥＡＰスタックアクチュエータを横断する図３１のシングルピボット関節運動接合部の断面図である。
【図３４】可撓性関節運動フレームグランドを関節運動させるＥＡＰ作動関節運動機構を示す閉止スリーブ組立体が破断した外科器具の右側面図である。
【図３５】左側に関節運動した図３４の外科器具の平面図である。
【図３６】ＥＡＰプレートアクチュエータ及び固定ストリップを含む図３４の関節運動フレームグランドの右前方からの斜視図である。
【図３７】破線で示されている固定されていない作動した状態及び固定されてリラックスした状態の左ＥＡＰ固定ストリップを示す、左側に関節運動した状態の図３４の関節運動フレームグランドの平面図である。
【図３８】ＥＡＰプレートアクチュエータ及びＥＡＰ固定ストリップを縦断する左側に関節運動した状態の図３４の関節運動フレームグランドの断面図である。
【図３９】図３７の線３９‐３９に沿って見た横ガイドピンを横断する関節運動フレームグランドの断面図である。
【図４０】複数のＥＡＰリブスプレッダーアクチュエータを縦断する代替の関節運動フレームグランドの断面図である。
【図４１】複数のＥＡＰファイバーアクチュエータを有する更に別の代替の関節運動フレームグランドの右方向からの部分組立分解斜視図である。
【図４２】図４１の線４２‐４２に沿って見た別の代替の関節運動フレームグランドの断面図である。
【図４３】１つのスライド可能な端部を備えた内側に作動するＥＡＰプレートアクチュエータの支持プレートによって有利に横方向に発射バーが案内された外科器具の関節運動接合部を縦断する発射バーの長手方向の断面図である。
【図４４】図４３の外科器具の関節運動した関節運動接合部を縦断する発射バーの長手方向の断面図である。
【図４５】１つの端部がスライド可能である外側に作動するＥＡＰプレートアクチュエータの支持プレートによって有利に横方向に発射バーが案内された外科器具の関節運動した関節運動接合部を縦断する発射バーの長手方向の断面図である。
【図４６】拘束されているが長手方向に移動できるフック型の端部を有する外側に作動するＥＡＰ支持プレートによって有利に横方向に発射バーが案内される外科器具の関節運動接合部を縦断する発射バーの長手方向の断面図である。
【図４７】一端がフックで固定され他端がばねによって長手方向に拘束された外側に作動するＥＡＰ支持プレートによって有利に横方向に発射バーが案内された外科器具の関節運動接合部を縦断する発射バーの長手方向の断面図である。
【図４８】両端がばねに長手方向に拘束された外側に作動するＥＡＰ支持プレートによって有利に横方向に発射バーが案内された外科器具の関節運動接合部を縦断する発射バーの長手方向の断面図である。
【図４９】図４５または図４６のＥＡＰ支持プレートを含む可撓性関節運動接合部の平面図である。
【図５０】図４９の線４９‐４９に沿って見た可撓性関節運動接合部の断面図である。
【図５１】左側に関節運動した図４９の可撓性関節運動接合部の平面図である。
【図５２】図４５または図４６のＥＡＰ支持プレート並びに左右のＥＡＰプレート関節運動アクチュエータを含む可撓性関節運動接合部の右前方からの斜視図である。
【図５３】一対の支持プレートの一方の外側湾曲端部が関節運動接合部の一側に固定され、他方の外側湾曲端部が対向したＥＡＰスタックアクチュエータの間のフレーム凹部内に弾性的に保持された、長手方向の軸を通る関節運動接合部の断面図である。
【図５４】一対の支持プレートの両方の外側湾曲端部が対向したＥＡＰスタックアクチュエータの間のフレーム凹部内に弾性的に保持された、長手方向の軸を通る関節運動接合部の断面図である。
【符号の説明】
【００８０】
１０    外科用切断／ステープル止め器具
１２    ステープル止め組立体
１４    ハンドル
１６    シャフト
１８    ステープル溝
２０    ステープルカートリッジ
２２    アンビル
３０    回動ノブ
３２    関節運動接合部
３４    関節運動制御スイッチ
３６    ＥＡＰアクチュエータ
３８    電源
４０    閉止トリガー
４２    ピストルグリップ
４４    発射トリガー
４６    引き戻しレバー
４８    閉止解除ボタン
１００    ラミネートＥＡＰ複合材
１０２    プレート陽極層
１０４    ＥＡＰ層
１０６    イオンセル層
１０８    プレート陰極層
１１０    接着層
１２０    ＥＡＰプレートアクチュエータ
１４０    収縮ＥＡＰファイバーアクチュエータ
１４２    プラチナ陰極ワイヤ
１４４、１５０    エンドキャップ
１４６    円柱キャビティ
１４８    プラスチック円柱壁
１５２    収縮ポリマーファイバー
２００    外科用切断／ステープル止め器具
２０２    ＥＡＰ作動関節運動接合部
２０４    シャフト
２１０    関節運動接合部
２１４    基端閉止チューブ
２１６    先端閉止リング
２１８    可撓性閉止チューブ
２２０、２２２    垂直スリット
２２４    長手方向バンド
２２６    馬蹄開口
２２８    アンビル閉止構造
２３０    回動ピン
２３４    シングルピボットフレーム組立体
２３８    上部回動タブ
２４０    下部回動タブ
２４２、２５２    上部回動ピンホール
２４４、２５４    下部回動ピンホール
２４６    上部回動タング
２４８    下部回動タング
２５０    先端フレームグランド
２５６    上部フレーム回動ピン
２５８    下部フレーム回動ピン
２７０    発射バー
２７２    発射スロット
２７４    矩形開口
２７８    クリップバー
２８０    上部アーム
２８２    クリップばね
２８４    アーム
２８６    隆起部分
２８８    Ｅビーム
２９２    ステープルドライバ
２９６    ウェッジスレッド
２９８    カートリッジトレイ
３００    切断面
３０２    上部ピン
３０４    中間ピン
３０６    上部脚
３０８    長手方向スロット
３１０    長手方向開口
３１２    垂直スロット
４００    ＥＡＰアクチュエータシステム
４０２、４０４    ＥＡＰファイバーアクチュエータ
４０６    上部モーメントアーム
４１６    下部モーメントアーム
５０４    ダブルピボット閉止スリーブ組立体
５０６    シングルピボットフレーム組立体
５１４    上部タング
５１６    下部タング
５１８    先端閉止チューブ
５２２    先端閉止リング
５２８    上部ダブルピボットリンク
５３０    先端回動ピン
５３２    基端回動ピン
５３４    上部先端ピンホール
５３６    上部基端ピンホール
５３８    下部ダブルピボットリンク
５４０    先端回動ピン
５４２    基端回動ピン
５４４    下部先端ピンホール
５５０    基端フレームグランド
５５２    回動ピンホール
５５４    回動凹部
５５６、５５８    モーメントアーム
５６０    ドッグボーン型リンク
５６２    基端ピン
５６６    先端ピン
５７０    基端フレームグランド
５７２    先端横ガイド
５７４    基端ガイド
５８０    ＥＡＰ作動システム
５８２、５８４    ＥＡＰスタックアクチュエータ
６００    ＥＡＰ作動関節運動接合部
６０２    外科器具
６０４    シングルピボットフレーム組立体
６０６    基端フレームグランド
６０８    タング
６１０    先端フレームグランド
６１２    回動ピン
６１４    半涙型プーリー
６１６    収縮ＥＡＰファイバーアクチュエータ
７００    ＥＡＰ作動関節運動
７０２    回動関節運動接合部
７０４    外科器具
７０６    シングルピボットフレーム機構
７０８    基端フレームグランド
７１０    上部回動タブ
７１２    下部回動タブ
７１４    上部タング
７１６    下部タング
７２０    エンドエフェクタ
７２２    上部内側孔
７２４    上部外側孔
７２６    上部回動ピン
７２８    下部内側孔
７３０    下部外側孔
７３２    下部回動ピン
７３４    上部モーメントアーム
７３６    下部モーメントアーム
７４０、７４２    上部ＥＡＰファイバーアクチュエータ
７４８、７５２    下部ＥＡＰファイバーアクチュエータ
８００    上部ＥＡＰ作動関節運動固定機構
８０２    上部固定ボルト組立体
８０４    上部固定凹部
８０８    固定先端
８１０    先端スロット
８１２    歯車の谷
８１４    歯車部分
８１６    クロスプレート
８１８    圧縮ばね
８２０、８２２    ＥＡＰスタックアクチュエータ
８２４    上部固定カバー
８３０    下部ＥＡＰ作動関節運動固定機構
９００    ＥＡＰ関節運動システム
９０１    シングルピボット関節運動接合部
９０２、９０４    上部ＥＡＰファイバーアクチュエータ
９０６、９０８    下部ＥＡＰファイバーアクチュエータ
９１０    上部モーメントアーム
９１２    下部モーメントアーム
９１４    上部回動タブ
９１６    下部回動タブ
９１８    基端フレームグランド
９２０    左上部取付け点
９２４    右上部取付け点
９２６    左下部取付け点
９２８    右下取付け点
１０００    ＥＡＰ関節運動システム
１００１    シングルピボット関節運動接合部
１００２、１００４    上部ＥＡＰスタックアクチュエータ
１００６、１００８    下部ＥＡＰスタックアクチュエータ
１０１４    上部モーメントアーム
１０１６    上部回動タブ
１０２０、１０３０    チップピン
１０２２    先端フレームグランド
１０２４    下部モーメントアーム
１０２６    下部回動タブ
１２００    外科器具
１２０２    ＥＡＰ作動関節運動接合部
１２０４    関節運動フレーム組立体
１２０６    シャフト
１２０８    ハンドル
１２１０    エンドエフェクタ
１２１２    ステープル止め組立体
１２１４    アンビル
１２２０    閉止トリガー
１２２２    ピストルグリップ
１２２６    発射トリガー
１２２８    発射部材
１２３０    閉止解除ボタン
１２３２    回動ノブ
１２４０    基端フレームグランド
１２４２    関節運動フレームグランド
１２４４    先端フレームグランド
１３００    ＥＡＰ作動システム
１３０２、１３０４    ＥＡＰプレートアクチュエータ
１３０６、１３０８    矩形アクチュエータ凹部
１３１０    弾性フレーム本体
１３１２    矩形ナイフスロット
１３１４    発射バー
１３２０    長手方向バンド
１３２２、１３２４    垂直凹部
１３２６    矩形貫通孔
１３２８    横ギャップ
１３３０    リブ
１３３２    内部壁
１３３４    外側スライス
１３５０    ＥＡＰ関節運動固定機構
１３５４、１３５８    ＥＡＰ固定ストリップ
１３６２    垂直固定リッジ
１３７０    上部ガイドピン
１３７２    下部ガイドピン
１４００    ＥＡＰ動作システム
１４０２    ＥＡＰリブスプレッダープレートアクチュエータ
１４０４    先端側に開口した矩形アクチュエータ凹部
１４０６    基端側に開口した矩形アクチュエータ凹部
１４１０    リブ
１４１２    垂直スロット
１４１４    矩形貫通孔
１４１６    外側垂直スロット
１５００    ＥＡＰ動作システム
１５０２    弾性フレーム本体
１５０４    ＥＡＰファイバーアクチュエータ
１５０６、１５０８    垂直スタック
１５１０    リブ
１５１２    内側垂直壁
１５１４    長手方向バンド
１５１６    外側スライス
１５１８    長手方向貫通孔
１５２０    先端横カバー
１５２２    基端横カバー
１５２４    ナイフスロット
２０００、２１００、２２００、２３００、２４００    関節運動接合部
２００２、２１０２、２２０２、２３０２、２４０２    外科器具
２００４、２１０４、２２０４、２３０４、２４０４    左ＥＡＰ支持プレート
２００６、２１０６、２２０６、２３０６、２４０６    右ＥＡＰ支持プレート
２００８、２２０８、２３０８、２４０８    発射バー
２０１０ａ、２０１０ｂ、２１１０ａ、２１１０ｂ、２２１０    構造部材
２３１０ａ、２３１０ｂ、２４１０ａ、２４１０ｂ    構造部材
２０１２ａ、２１２ｂ、２１１２ａ、２１１２ｂ    拡張端部
２０１４ａ、２０１４ｂ、２１１４ａ、２１１４ｂ、２２１４ａ、２２１４ｂ    凹部
２０１６、２１１６、２２１６、２３１６、２４１６ａ、２４１６ｂ    第１のフレームグランド
２０１８ａ、２０１８ｂ、２１１８ａ、２１１８ｂ    真直端部
２０２０、２１２０    第２のフレームグランド
２０２２ａ、２０２２ｂ、２１２２ａ、２１２２ｂ    ＥＡＰラミネート
２２１２ａ、２２１２ｂ、２２１８ａ、２２１８ｂ２４１８ｂ    湾曲端部
２２２０ａ、２２２０ｂ、２３２０ａ、２３２０ｂ    内側に開口した凹部
２２２４ａ、２２２４ｂ、２３２４ａ、２３２４ｂＥＡＰラミネート
２３１２ａ、２３１２ｂ、２３１８ａ、２３１８ｂ２４１８ｂ    湾曲端部
２４１２ａ、２４１２ｂ、２４１８ａ、２４１８ｂ    湾曲端部
２４１４ａ、２４１４ｂ、２４２０ａ、２４２０ｂ    内側に開口した凹部
２４２４ａ、２４２４ｂ    ＥＡＰラミネート
２２２２、２３２２、２４２２    第２のフレームグランド
２３１４    スロット
２３２６、２３２８、２４３０、２４３２    圧縮ばね
２５００    関節運動接合部
２５０２    外科器具
２５０４、２５０６    ＥＡＰ支持プレート
２５０８    発射バー
２５１０    ナイフスロット
２５１２    弾性フレーム本体
２５１６    基端フレームグランド
２５１８    先端フレームグランド
２５２０    左ＥＡＰプレートアクチュエータ
２５２４    右ＥＡＰプレートアクチュエータ
２５２６    リブ
２５２８ａ、２５２８ｂ    外側ＥＡＰラミネート層
２５３０ａ、２５３０ｂ    内側プレート
２５３２    凹部
２５３４ａ、２５３４ｂ    湾曲端部
２５３６ａ、２５３６ｂ    真直端部
２６００    関節運動接合部
２６０２    外科器具
２６０４、２６０６    ＥＡＰ支持プレート
２６１２ａ、２６１２ｂ    第１の外側湾曲端部
２６１８ａ、２６１８ｂ    第２の外側湾曲端部
２６１６    第１のフレームグランド
２６２２    第２のフレームグランド
２６２０ａ、２６２０ｂ    内側に開口した凹部
２６２４ａ、２６２４ｂ    外側ＥＡＰラミネート
２６２５ａ、２６２５ｂ    内側ＥＡＰラミネート
２７００    関節運動接合部
２７０２    外科器具
２７０４、２７０６    ＥＡＰ支持プレート
２７１２ａ、２７１２ｂ    第１の外側湾曲端部
２７１４ａ、２７１４ｂ    第１の内側に開口した凹部
２７１８ａ、２７１８ｂ    第２の外側湾曲端部
２７１６    第１のフレームグランド
２７２２    第２のフレームグランド
２７２０ａ、２７２０ｂ    第２の内側に開口した凹部
２７２４ａ、２７２４ｂ    外側ＥＡＰラミネート
２７２６ａ、２７２６ｂ、２７３５ａ、２７３５ｂ    内側ＥＡＰラミネート
【図１】
2006034982.tif 000003
【図２】
2006034982.tif 000004
【図３】
2006034982.tif 000005
【図４】
2006034982.tif 000006
【図５】
2006034982.tif 000007
【図６】
2006034982.tif 000008
【図７】
2006034982.tif 000009
【図８】
2006034982.tif 000010
【図９】
2006034982.tif 000011
【図１０】
2006034982.tif 000012
【図１１】
2006034982.tif 000013
【図１２】
2006034982.tif 000014
【図１３】
2006034982.tif 000015
【図１４】
2006034982.tif 000016
【図１５】
2006034982.tif 000017
【図１６】
2006034982.tif 000018
【図１７】
2006034982.tif 000019
【図１８】
2006034982.tif 000020
【図１９】
2006034982.tif 000021
【図２０】
2006034982.tif 000022
【図２１】
2006034982.tif 000023
【図２２】
2006034982.tif 000024
【図２３】
2006034982.tif 000025
【図２４】
2006034982.tif 000026
【図２５】
2006034982.tif 000027
【図２６】
2006034982.tif 000028
【図２７】
2006034982.tif 000029
【図２８】
2006034982.tif 000030
【図２９】
2006034982.tif 000031
【図３０】
2006034982.tif 000032
【図３１】
2006034982.tif 000033
【図３２】
2006034982.tif 000034
【図３３】
2006034982.tif 000035
【図３４】
2006034982.tif 000036
【図３５】
2006034982.tif 000037
【図３６】
2006034982.tif 000038
【図３７】
2006034982.tif 000039
【図３８】
2006034982.tif 000040
【図３９】
2006034982.tif 000041
【図４０】
2006034982.tif 000042
【図４１】
2006034982.tif 000043
【図４２】
2006034982.tif 000044
【図４３】
2006034982.tif 000045
【図４４】
2006034982.tif 000046
【図４５】
2006034982.tif 000047
【図４６】
2006034982.tif 000048
【図４７】
2006034982.tif 000049
【図４８】
2006034982.tif 000050
【図４９】
2006034982.tif 000051
【図５０】
2006034982.tif 000052
【図５１】
2006034982.tif 000053
【図５２】
2006034982.tif 000054
【図５３】
2006034982.tif 000055
【図５４】
2006034982.tif 000056
【外国語明細書】
2006034982000001.pdf